(57)【特許請求の範囲】
【請求項１】
複数の電話端末と、広域ネットワークに接続され、前記複数の電話端末を配下の電話端末とする交換装置とからなる電話システムであって、ドック装置に対して携帯電話端末を接続することにより電話端末が形成される前記ドック装置が前記交換装置に接続される電話システムにおいて、
前記ドック装置は、
自機に接続された携帯電話端末を前記交換装置の配下の内線電話端末とするための情報であって、少なくとも内線番号を含む内線情報を記憶保持する内線情報記憶手段と、
自機に携帯電話端末が接続された場合に、前記内線情報記憶手段の前記内線情報を前記交換装置に対して送信し、前記携帯電話端末を前記交換装置の配下の内線電話端末とする登録処理を行う端末登録処理手段と、
自機に携帯電話端末が接続された場合に、前記内線情報記憶手段の前記内線情報を前記携帯電話端末に送信する内線情報提供手段と、
前記交換装置と前記携帯電話端末との間で送受する信号を処理して中継する信号処理手段と
を備え、
前記携帯電話端末は、
前記ドック装置に接続された場合に、前記ドック装置から提供される前記内線情報を受け付けて、自機の記憶手段に登録する内線情報管理手段と、
自機の前記記憶手段に登録された前記内線情報を用いて、前記交換装置の配下の内線電話端末として機能するように制御する制御手段と
を備えることを特徴とする電話システム。
【請求項２】
請求項１に記載の電話システムであって、
前記携帯電話端末は、
前記ドック装置に接続された場合に、携帯電話端末で携帯電話通信をするために必要な情報であって携帯電話端末毎に異なる識別用情報を使用できないようにする使用禁止手段と、
接続された前記ドック装置から切り離された場合に、前記使用禁止手段により使用が禁止された前記識別用情報の使用を再開させる使用再開手段と、
を備えることを特徴とする電話システム。
【請求項３】
請求項２に記載の電話システムであって、
前記ドック装置は、
自機に接続された前記携帯電話端末からの前記識別用情報を受け付ける受付手段を備え、
前記携帯電話端末は、
前記識別用情報を記憶保持する識別用情報記憶手段を備え、
前記携帯電話端末の前記使用禁止手段は、
前記識別用情報記憶手段から前記識別用情報を読み出して、前記ドック装置に送信する識別用情報提供手段と、
前記識別用情報を前記識別用情報提供手段により前記ドック装置に送信した後、前記識別用情報記憶手段から、これに記憶保持されている前記識別用情報を消去するようにする識別用情報消去手段と
からなることを特徴とする電話システム。
【請求項４】
請求項３に記載の電話システムであって、
前記ドック装置は、
前記受付手段を通じて受け付けた前記識別用情報を記憶保持する携帯電話端末識別用情報記憶手段と、
自機に接続された前記携帯電話端末からの要求に応じて、前記携帯電話端末識別用情報記憶手段に記憶保持している前記識別用情報を、前記携帯電話端末に送信する携帯電話端末識別用情報提供手段と
を備え、
前記携帯電話端末において、前記使用再開手段は、前記ドック装置から切り離された後に、前記ドック装置に再接続された場合に、前記ドック装置に対して前記識別用情報の提供を要求し、前記ドック装置から提供される前記識別用情報を前記識別用情報記憶手段に登録して当該識別情報の使用を再開させる
ことを特徴とする電話システム。
【請求項５】
請求項１に記載の電話システムであって、
前記ドック装置は、
自機に接続された前記携帯電話端末からの前記識別用情報を受け付けて、複数の識別用情報を管理する管理装置に送信する携帯電話端末識別用情報提供手段を備え、
前記携帯電話端末は、
前記識別用情報を記憶保持する識別用情報記憶手段と、
前記ドック装置に接続された場合に、前記識別用情報記憶手段から前記識別用情報を読み出して、前記ドック装置を介して前記管理装置に送信する識別用情報提供手段と、
前記識別用情報提供手段を通じて前記識別用情報を送信した後に、前記識別用情報記憶手段から、前記識別用情報を消去するようにする識別用情報消去手段と、
使用者からの要求に応じて、自機が接続されている前記ドック装置を介して前記管理装置に要求して所定の識別情報を取得し、取得した前記所定の識別用情報により携帯電話端末の機能を再開させる使用再開手段と
を備えることを特徴とする電話システム。
【請求項６】
複数の電話端末と、広域ネットワークに接続され、前記複数の電話端末を配下の電話端末とする交換装置とからなる電話システムであって、ドック装置に対して携帯電話端末を接続することにより電話端末が形成される前記ドック装置を前記交換装置に接続される電話システムの前記ドック装置であって、
自機に接続された携帯電話端末を前記交換装置の配下の内線電話端末とするための情報であって、少なくとも内線番号を含む内線情報を記憶保持する内線情報記憶手段と、
自機に携帯電話端末が接続された場合に、前記内線情報記憶手段の前記内線情報を前記交換装置に対して送り、前記携帯電話端末を前記交換装置の配下の内線電話端末とする登録処理を行う端末登録処理手段と、
自機に携帯電話端末が接続された場合に、前記内線情報記憶手段の前記内線情報を前記携帯電話端末に送信する内線情報提供手段と、
前記交換装置と前記携帯電話端末との間で送受する信号を処理して中継する信号処理手段と
を備えることを特徴とするドック装置。
【請求項７】
複数の電話端末と、広域ネットワークに接続され、前記複数の電話端末を配下の電話端末とする交換装置とからなる電話システムであって、ドック装置に対して携帯電話端末を接続することにより電話端末が形成される前記ドック装置が前記交換装置に接続される電話システムの前記携帯電話端末であって、
前記ドック装置は、自機に接続された携帯電話端末を前記交換装置の配下の内線電話端末とするための情報であって、少なくとも内線番号を含む内線情報を記憶保持する内線情報記憶手段と、自機に携帯電話端末が接続された場合に、前記内線情報記憶手段の前記内線情報を前記交換装置に対して送り、前記携帯電話端末を前記交換装置の配下の内線電話端末とする登録処理を行う端末登録処理手段と、自機に携帯電話端末が接続された場合に、前記内線情報記憶手段の前記内線情報を前記携帯電話端末に送信する内線情報提供手段と、前記交換装置と前記携帯電話端末との間で送受する信号を処理して中継する信号処理手段とを備えるものであり、
前記ドック装置に接続された場合に、前記ドック装置から提供される前記内線情報を受け付けて、自機の記憶手段に登録する内線情報管理手段と、
自機の前記記憶手段に記憶された前記内線情報を用いて、前記交換装置の配下の内線電話端末として機能するように制御する制御手段と
を備えることを特徴とする携帯電話端末。
【請求項８】
複数の電話端末と、広域ネットワークに接続され、前記複数の電話端末を配下の電話端末とする交換装置とからなる電話システムであって、ドック装置に対して携帯電話端末を接続することにより電話端末が形成される前記ドック装置が前記交換装置に接続される電話システムで用いられる機器接続方法あって、
前記ドック装置は、自機に接続された携帯電話端末を前記交換装置の配下の内線電話端末とするための情報であって、少なくとも内線番号を含む内線情報を記憶保持する内線情報記憶手段を備えるものであり、
前記ドック装置においては、
自機に携帯電話端末が接続された場合に、端末登録処理手段が、前記内線情報記憶手段の前記内線情報を前記交換装置に対して送り、前記携帯電話端末を前記交換装置の配下の内線電話端末とする登録処理を行う端末登録処理工程と、
自機に携帯電話端末が接続された場合に、内線情報提供手段が、前記内線情報記憶手段の前記内線情報を前記携帯電話端末に送信する内線情報提供工程と、
前記交換装置と前記携帯電話端末との間で送受する信号を、信号処理手段が処理して中継する信号処理工程と
を有し、
前記携帯電話端末においては、
前記ドック装置に接続された場合に、内線情報管理手段が、前記ドック装置から提供される前記内線情報を受け付けて、自機の記憶手段に登録する内線情報管理工程と、
自機の前記記憶手段に記憶された前記内線情報を用いて、制御手段が前記交換装置の配下の内線電話端末として機能するように制御する制御工程と
を有することを特徴とする機器接続方法。
【発明の詳細な説明】
【技術分野】
【０００１】
この発明は、例えば、ＳＩＰ（Session Initiation Protocol）サーバや主装置といった交換装置に対して通信機器を接続して構成する電話システム、当該システムで用いられる各装置及び方法に関する。
【背景技術】
【０００２】
後に記す特許文献１に記載されているように、無線ＬＡＮ（Local Area Network）と携帯電話網とのいずれにも接続可能ないわゆるデュアル携帯電話端末が知られている。そして、デュアル携帯電話端末は、会社内においては、当該会社内において無線ＬＡＮが用いられて構築される電話システムのいわゆる内線電話として用いられ、外出先では携帯電話網を通じて通信を行う携帯電話端末として用いるようにすることが行われている。そして、特許文献１には、発信元のデュアル携帯電話端末が着信先に対して無線ＬＡＮに接続されているか否かを通知したり、発信元が着信先のデュアル携帯電話端末に無線ＬＡＮに接続されているか否かを確認したりして、無線ＬＡＮに接続された相手先と通信を行えるようにする技術が開示されている。
【先行技術文献】
【特許文献】
【０００３】
【特許文献１】特開２００８−１０９１９１号公報
【発明の概要】
【発明が解決しようとする課題】
【０００４】
ところで、上述した特許文献１に記載の技術の場合には、通話を行う前に、携帯電話網やインターネットを通じて発信元や着信先の無線ＬＡＮへの接続状態を確認しなければならない。このため、デュアル携帯電話端末が、無線ＬＡＮ圏内に位置しているにもかかわらず、携帯電話端末網を通じた通信を行う場合があり、手間が掛かるばかりでなく、通信コストが掛かる場合もあるので、コスト的に不利になる場合もある。
【０００５】
このため、一般的には、電話システム内に設けられる特定のアクセスポイント（ＡＰ）の通信圏内に位置していることを条件に、デュアル携帯電話端末を当該電話システムの内線電話として動作させるようにしている。この場合、当該デュアル携帯電話端末が当該特定のアクセスポイントの圏外へ移動することで、本来の携帯電話網（３Ｇ回線）を通じて通信を行う携帯電話端末へと復帰することになる。
【０００６】
しかし、この場合には、アクセスポイントとデュアル携帯電話端末との通信状態に応じて、デュアル携帯電話端末がＳＩＰサーバの配下となるか否かが決められる。このため、ＳＩＰサーバ側でデュアル携帯電話端末の接続状態が把握し辛く、端末管理が複雑となる。つまり、デュアル携帯電話端末が、どの時点から電話システムの内線電話となり、どの時点から携帯電話網を通じて通信を行う携帯電話端末に復帰するのかの管理が難しく、携帯電話端末のユーザ自身も分かり難い場合もある。
【０００７】
以上のことに鑑み、この発明は、携帯電話端末を内線電話端末として利用可能な電話システムを簡単かつ適切に構成することができると共に、交換装置においても、当該携帯電話端末を適切に管理できるようにすることを目的とする。
【課題を解決するための手段】
【０００８】
上記課題を解決するため、請求項１に記載の発明の電話システムは、
複数の電話端末と、広域ネットワークに接続され、前記複数の電話端末を配下の電話端末とする交換装置とからなる電話システムであって、ドック装置に対して携帯電話端末を接続することにより電話端末が形成される前記ドック装置が前記交換装置に接続される電話システムにおいて、
前記ドック装置は、
自機に接続された携帯電話端末を前記交換装置の配下の内線電話端末とするための情報であって、少なくとも内線番号を含む内線情報を記憶保持する内線情報記憶手段と、
自機に携帯電話端末が接続された場合に、前記内線情報記憶手段の前記内線情報を前記交換装置に対して送信し、前記携帯電話端末を前記交換装置の配下の内線電話端末とする登録処理を行う端末登録処理手段と、
自機に携帯電話端末が接続された場合に、前記内線情報記憶手段の前記内線情報を前記携帯電話端末に送信する内線情報提供手段と、
前記交換装置と前記携帯電話端末との間で送受する信号を処理して中継する信号処理手段と
を備え、
前記携帯電話端末は、
前記ドック装置に接続された場合に、前記ドック装置から提供される前記内線情報を受け付けて、自機の記憶手段に登録する内線情報管理手段と、
自機の前記記憶手段に登録された前記内線情報を用いて、前記交換装置の配下の内線電話端末として機能するように制御する制御手段と
を備えることを特徴とする。
【０００９】
この請求項１に記載の発明の電話システムによれば、当該電話システムは、複数の電話端末を配下の電話端末とする交換装置に対してドック装置が接続され、当該ドック装置に対して携帯電話端末が接続されて形成される。ドック装置は、内線情報記憶手段に、携帯通信端末を交換装置の配下の内線電話端末とするための情報であって、少なくとも内線番号を含む内線情報を記憶保持している。ドック装置に携帯電話端末が接続されると、端末登録処理手段により、内線情報記憶手段の内線情報が交換装置に送信され、当該ドック装置に接続された携帯電話端末が交換装置の配下の内線電話端末として登録される。また、内線情報提供手段により、内線情報記憶手段の内線情報が当該携帯電話端末に送信され、当該携帯電話端末においても、交換装置の配下の内線電話端末になったことが登録される。そして、信号処理手段により、交換装置と携帯電話端末との間で送受する信号を処理して中継するようにされる。
【００１０】
一方、携帯電話端末においては、ドック装置に接続されると、内線情報管理手段により、ドック装置から提供される内線情報が受け付けられ、これが記憶手段に登録されて管理される。そして、制御手段により、当該記憶手段の内線情報が用いられて、交換装置の配下の内線電話端末として機能するようにされる。
【００１１】
このように、携帯電話端末をドック装置に接続することにより、携帯電話端末を内線電話端末として利用可能な電話システムが簡単かつ適切に構成することができるようにされる。また、交換装置に接続されるドック装置に対して、携帯電話端末が接続された場合に、当該ドック装置を通じて当該携帯電話端末が交換装置配下の内線電話端末となるようにされる。したがって、交換装置における配下の内線電話端末の管理を簡単かつ適切に行うことができるようにされる。
【発明の効果】
【００１２】
この発明によれば、携帯電話端末を内線電話端末として利用可能な電話システムを簡単かつ適切に構成することができると共に、交換装置においても、当該携帯電話端末を適切に管理できるようにすることができる。
【図面の簡単な説明】
【００１３】
【図１】第１の実施の形態の電話システムの概要を説明するための図である。
【図２】ＳＩＰサーバ１の構成例を説明するためのブロック図である。
【図３】アドレス管理ＤＢ１０６に形成される管理情報（データベース）の構成例について説明するための図である。
【図４】第１の実施の形態の電話システムのドック装置４の構成例を説明するためのブロック図である。
【図５】接続端末登録メモリ４２１において管理される情報の例を説明するための図である。
【図６】ＩＤ管理メモリ４２５に記憶保持されるデータの例を説明するための図である。
【図７】第１の実施の形態の電話システムの携帯電話端末５の構成例を説明するためのブロック図である。
【図８】第１の実施の形態の電話システムにおける携帯電話端末５の電話システムへの接続から離脱までの処理について説明するためのシーケンス図である。
【図９】識別用情報のドック装置４から携帯電話端末５への復旧処理を説明するためのシーケンス図である。
【図１０】第１の実施の形態の電話システムにおける携帯電話端末５の電話システムへの接続から離脱までの処理の変形例について説明するためのシーケンス図である。
【図１１】第２の実施の形態の電話システムの概要を説明するための図である。
【図１２】第２の実施の形態の電話システムのドック装置４Ａの構成例を説明するためのブロック図である。
【図１３】第２の実施の形態の電話システムの携帯電話端末５Ａの構成例を説明するためのブロック図である。
【図１４】第２の実施の形態の電話システムにおける携帯電話端末５Ａの電話システムへの接続から離脱までの処理について説明するためのシーケンス図である。
【図１５】第２の実施の形態の電話システムにおけるドック装置４Ａから携帯電話端末５Ａへの識別用情報の復帰処理を説明するためのシーケンス図である。
【図１６】第２の実施の形態の電話システムにおける携帯電話端末５の電話システムへの接続から離脱までの処理の変形例について説明するためのシーケンス図である。
【図１７】第３の実施の形態の電話システムの概要を説明するための図である。
【図１８】第３の実施の形態の管理サーバ９の構成例を示すブロック図である。
【図１９】管理サーバ９のカード管理テーブルに記録される管理情報の例を説明するための図である。
【図２０】管理サーバ９の端末管理テーブルに記録される管理情報の例を説明するための図である。
【図２１】第３の実施の形態の電話システムにおいて行われる携帯電話端末５の電話システムへの接続から離脱までの処理を説明するためのシーケンス図である。
【図２２】図２１に続くシーケンス図である。
【図２３】図２２に続くシーケンス図である。
【発明を実施するための形態】
【００１４】
以下、図を参照しながら、この発明によるシステム、装置、方法の一実施の形態について説明する。以下に説明する実施の形態においては、例えば、事業所内に形成されるボタン電話システムであって、ＩＰ（Internet Protocol）網を通じて電話通信を行うことができるＩＰ電話システムに、この発明を適用した場合を例にして説明する。
【００１５】
［第１の実施の形態］
［第１の実施の形態の電話システムの概要］
図１は、第１の実施の形態の電話システムの概要を説明するための図である。図１に示すように、第１の実施の形態の電話システムにおいては、ＳＩＰサーバ１に対し、有線ＬＡＮ２を通じてドック装置４（１）、４（２）、…が接続される。そして、各ドック装置４（１）、４（２）、…に対しては、各携帯電話端末５（１）、５（２）…が対応するように有線接続される。
【００１６】
なお、この第１の実施の形態において、ドック装置４（１）、４（２）、…のそれぞれと、携帯電話端末５（１）、５（２）、…のそれぞれとは、ＵＳＢ（Universal Serial Bus）ケーブル８（１）、８（２）、…によって有線接続される。また、ＳＩＰサーバ１に対しては、図１に示したように、有線ＬＡＮ２を通じて、通常のＩＰ電話端末３（１）、…等の通信端末も接続できるようにされている。
【００１７】
ＳＩＰサーバ１は、図１に示したように、ＩＰ網６と電話網７とに接続され、通信路（通信回線）を接続する端末間のアドレス解決をするものである。つまり、ＳＩＰサーバ１は、レジストラ・サーバ機能とプロキシ・サーバ機能とを備え、これらの機能を用いることによって、ＬＡＮ２に接続された電話システム内の機器との間や、ＬＡＮ２に接続された機器とＩＰ網６や電話網７に接続された機器との間に、通信路を接続することができるようにするものである。そして、この実施の形態においては、ＳＩＰサーバ１に対して、図１に示したように、例えば、「１９２．１６８．１．１」となるＩＰアドレスが割り当てられている。
【００１８】
また、ＩＰ網６は、ＩＰ（Internet Protocol）を用いて通信を行うネットワークを意味し、具体的にはインターネットである。また、電話網７は、アナログ方式の公衆交換電話網（ＰＳＴＮ（Public Switched Telephone Network））、デジタル回線網（ＩＳＤＮ（Integrated Services Digital Network））、３Ｇ回線などと呼ばれる第３世代の高速携帯電話ネットワーク（携帯電話網）などを含むものである。
【００１９】
ドック装置４（１）、４（２）、…のそれぞれは、これらに接続される携帯電話端末５（１）、５（２）、…に対して充電を行う機能を有する。さらに、ドック装置４（１）、４（２）、…のそれぞれは、これらに携帯電話端末５（１）、５（２）、…が接続されることにより、当該携帯電話端末５（１）、５（２）、…をＳＩＰサーバ１の配下の電話端末とするように機能する。このため、ドック装置４（１）、４（２）、…のそれぞれのメモリには、図１のドック装置４（１）、４（２）の下側に示したように、自機に接続された携帯電話端末をＳＩＰサーバ１の配下の電話端末とするための内線登録データ（内線情報）が予め設定されている。
【００２０】
図１に示したように、この第１の実施の形態において、ドック装置４（１）に設定される内線登録データは、内線番号「２０１０」、ＩＰアドレス「１９２．１６８．１．１０」、ポート番号「５０６０」というものである。また、ドック装置４（２）に設定される内線登録データは、内線番号「２０１１」、ＩＰアドレス「１９２．１６８．１．２０」、ポート番号「５０６０」というものである。また、ドック装置４（１）、４（２）のそれぞれは、ＳＩＰサーバ１と自機に接続された携帯電話端末５（１）、５（２）との間で送受する信号を処理する機能をも有する。
【００２１】
携帯電話端末５（１）、５（２）、…のそれぞれは、上述したように、ドック装置４（１）、４（２）、…に接続されたときには、これらを通じて、ＳＩＰサーバ１の配下の電話端末として機能することができるものである。そして、携帯電話端末５（１）、５（２）、…のそれぞれは、これらが単体で用いられるときには、携帯電話網（３Ｇ回線）を通じて通信路（通信回線）を接続して通話を行うことができるものである。また、携帯電話端末５（１）、５（２）、…のそれぞれは、これらが単体で用いられるときには、携帯電話網を通じてインターネットに接続し、Ｗｅｂページを閲覧したり、種々の情報のダウンロードやアップロードを行ったり、また、電子メールの送信、受信を行ったりすることもできるものである。
【００２２】
このように、この第１の実施の形態の電話システムは、ＳＩＰサーバ１に対してＬＡＮ接続されるドック装置４（１）、４（２）、…に対して、携帯電話端末５（１）、５（２）、…が有線接続されて構成される。そして、ドック装置４（１）、４（２）、…に接続された携帯電話端末５（１）、５（２）、…は、上述もしたように、ＳＩＰサーバ１の配下の電話端末（内線携帯端末）として機能することができるようにされる。
【００２３】
このとき、各携帯電話端末５（１）、５（２）、…のそれぞれにおいては、携帯電話端末で携帯電話通信をするために必要な情報であって携帯電話端末毎に異なる自機が有する識別用情報の使用を禁止する。当該識別用情報は、通常は携帯電話端末のそれぞれ毎に用いられるＳＩＭカード（Subscriber Identity Module Card）に記録されているＳＩＭカード情報である。
【００２４】
このように、ドック装置４（１）、（２）、…に接続された携帯電話端末５（１）、５（２）、…のそれぞれは、識別用情報（ＳＩＭカード情報）の使用が禁止される。これにより、当該携帯電話端末５（１）、５（２）、…のそれぞれは、携帯電話網を通じて通信を行うことができないようにされ、専らＳＩＰサーバ１の配下の電話端末（内線電話端末）として機能するようにされる。
【００２５】
なお、この第１の実施の形態において、ドック装置４（１）、４（２）、…のそれぞれは、基本的に同様に構成されるものである。このため、以下においては特に区別して示す場合を除き、ＬＡＮ２に接続されるドック装置４（１）、４（２）、…を総称して、ドック装置４という。また、携帯電話端末５（１）、５（２）、…のそれぞれもまた、その基本的な構成は同様のものである。このため、以下においては特に区別して示す場合を除き、携帯電話端末５（１）、５（２）、…を総称して、携帯電話端末５という。また、ＵＳＢケーブル８（１）、８（２）、…についても、特に区別して示す場合を除き、ＵＳＢケーブル８と総称する。以下、この第１の実施の形態の電話システムを構成する各機器について具体的に説明する。
【００２６】
［ＳＩＰサーバ１の構成例］
まず、第１の実施の形態の電話システムのＳＩＰサーバ１について説明する。図２は、ＳＩＰサーバ１の構成例を説明するためのブロック図である。図２に示すように、ＳＩＰサーバ１は、ＩＰ網６への接続端子１０１と、ＩＰ網インターフェース（以下、ＩＰ網Ｉ／Ｆと略称する。）１０２と、パケット分解／生成部１０３とを備えている。また、ＳＩＰサーバ１は、電話網インターフェース（以下、電話網Ｉ／Ｆと略称する。）１０４と、電話網７への接続端子１０５と、アドレス管理データベース（以下、アドレス管理ＤＢと略称する。）１０６とを備えている。さらに、ＳＩＰサーバ１は、ＬＡＮインターフェース（以下、ＬＡＮＩ／Ｆと略称する。）１０７と、ＬＡＮ２への接続端子１０８と、制御部１１０とを備えている。
【００２７】
制御部１１０は、この実施の形態のＳＩＰサーバ１の各部を制御するものであり、図２に示すように、ＣＰＵ（Central Processing Unit）１１１、ＲＯＭ（Read Only Memory）１１２、ＲＡＭ（Random Access Memory）１１３がシステムバス１１４を通じて接続されて構成されたマイクロコンピュータである。ここで、ＣＰＵ１１１は、ＲＯＭ１１２に記憶保持されているプログラムを実行することにより、各部を制御するための制御信号を生成して各部に供給したり、各部からの情報を処理したりするものである。ＲＯＭ１１２は、上述のように、ＣＰＵ１１１で実行される種々のプログラムや処理に必要となる種々のデータを記憶保持しているものである。
【００２８】
また、ＲＡＭ１１３は、処理の途中結果を一時記憶するなど、主に、作業領域として用いられるものである。なお、図示しないが、例えば、ＥＥＰＲＯＭ（Electrically Erasable and Programmable ROM）やフラッシュメモリーなどのいわゆる不揮発性メモリを備え、電源が落とされても保持しておくべきデータ、例えば、種々の設定パラメータや機能アップのために提供された新たなプログラムなどについても記憶保持することができるようにされている。
【００２９】
接続端子１０１は、ＩＰ網６への接続端部を構成するものである。ＩＰ網Ｉ／Ｆ１０２は、ＩＰ網６を通じて供給されるパケットを受け付けて、これを自機において処理可能な形式のパケットに変換して制御部１１０に供給する。また、ＩＰ網Ｉ／Ｆ１０２は、制御部１１０を通じて供給される送信すべきパケットを送信用の形式のパケットに変換して、これをＩＰ網６に送出する。
【００３０】
接続端子１０５は電話網７への接続端部を構成するものである。電話網Ｉ／Ｆ１０４は、電話網７を通じて供給されるデータを受け付けて、これを自機において処理可能な形式のデータに変換して制御部１１０に供給する。また、電話網Ｉ／Ｆ１０４は、制御部１１０を通じて供給される送信すべきデータを送信用の形式のデータに変換して、これを電話網７に送出する。
【００３１】
接続端子１０８はＬＡＮ２への接続端部を構成するものである。ＬＡＮＩ／Ｆ１０７は、ＬＡＮ２を通じて供給されるパケットを受け付けて、これを自機において処理可能な形式のパケットに変換して制御部１１０に供給する。また、ＬＡＮＩ／Ｆ１０７は、制御部１１０を通じて供給される送信すべきパケットを送信用の形式のパケットに変換して、これをＬＡＮ２に送出する。
【００３２】
パケット分解／生成部１０３は、パケットの分解や生成を行うものである。具体的には、ＬＡＮ２を通じてＳＩＰサーバ１に対して接続される電話端末（ＩＰ電話端末）等からの電話網７に接続された端末装置に送信すべきパケットは、接続端子１０８、ＬＡＮＩ／Ｆ１０７を通じて制御部１１０に受け付けられる。当該パケットは、制御部１１０からパケット分解／生成部１０３に供給され、ここでパケット分解された後に、電話網Ｉ／Ｆ１０４、接続端子１０５を通じて電話網７に送出され、目的とする相手先に送信するようにされる。
【００３３】
また、電話網７に接続された端末装置からのＬＡＮ２を通じてＳＩＰサーバ１に接続される配下の電話端末等へのデータは、接続端子１０５、電話網Ｉ／Ｆ１０４を通じて制御部１１０に受け付けられる。当該データは、制御部１１０からパケット分解／生成部１０３に供給され、ここで所定の形式のパケットとされた後に、ＬＡＮＩ／Ｆ１０７、接続端子１０８を通じて、ＬＡＮ２に送出されて目的とする電話端末に送信するようにされる。
【００３４】
なお、ＩＰ網６に接続された端末と、ＳＩＰサーバ１にＬＡＮ２を通じて接続される電話端末等との間では、パケットが送受される。このため、パケット分解／生成部１０３において、パケットの分解や生成は行われることはなく、ＩＰ網Ｉ／Ｆ１０２、ＬＡＮＩ／Ｆ１０７において、データ形式が整えられてそのまま送受するようにされる。同様に、ＳＩＰサーバ１にＬＡＮ２を通じて接続される電話端末等の機器間においても、パケットが送受されるため、パケット分解／生成部１０３において、パケットの分解や生成は行われることはなく、ＬＡＮＩ／Ｆ１０７を通じてパケットが送受するようにされる。
【００３５】
そして、アドレス管理ＤＢ１０６は、レジストラ・サーバ機能を実現するために、ＩＰ網６やＬＡＮ２に接続され、このＳＩＰサーバ１を通じて呼び出す可能性のある端末装置についてのアドレス情報を記憶保持するものである。具体的には、ＳＩＰサーバ１の制御部１１０は、ＩＰ網Ｉ／Ｆ１０２やＬＡＮＩ／Ｆ１０７を通じて、これらに接続されている種々の端末装置からの登録要求（レジスタ・リクエスト）を受信する。この場合に、制御部１１０は、受信した要求に含まれるアドレス情報等を抽出する。そして、制御部１１０は、抽出したアドレス情報等をアドレス管理ＤＢ１０６に登録したり、抽出したアドレス情報等を用いてアドレス管理ＤＢ１０６の登録情報を更新したりする。
【００３６】
このようにして、アドレス管理ＤＢ１０６に登録されて管理される情報が参照され、自機にＬＡＮ２を通じて接続される電話端末などから要求のあった通信先を確実に特定する。そして、その特定した相手先に送信すべき情報（パケットデータ）を転送するようにするプロキシ・サーバとしての機能をＳＩＰサーバ１が実現するようにしている。また、アドレス管理ＤＢ１０６に登録されて管理される情報は、自機にＬＡＮ２を通じて接続される電話端末などへの着信の判別などにも用いられる。
【００３７】
図３は、アドレス管理ＤＢ１０６に形成される管理情報（データベース）の構成例について説明するための図である。ＳＩＰサーバ１のアドレス管理ＤＢ１０６は、ＩＰ網６に接続された他のＩＰ電話システムの端末装置のアドレス情報の他、当該ＳＩＰサーバ１にＬＡＮ接続された電話端末などについてのアドレス情報をも管理することができるものである。
【００３８】
この実施の形態のＳＩＰサーバ１のアドレス管理ＤＢ１０６では、図３に示したように、ＳＩＰサーバ１にＬＡＮ接続された電話端末については、内線番号、ＩＰアドレス、ポート番号、その他の種々の情報（内線登録データ（内線情報））を登録して管理することができるようにされる。ここで、内線番号とＩＰアドレスとは、ＳＩＰサーバ１の配下の当該電話端末に対して予め割り当てられるようにされたものである。また、ポート番号は、ＳＩＰサーバ１と当該電話端末との間において、情報の送受に用いるポートを特定する情報であり、当該情報も予め決められたものである。その他の情報として、例えば、ＵＲＩ（Uniform Resource Identifier）やＭＡＣ（Media Access Control）アドレス等についても登録して管理することもできるようにされる。
【００３９】
また、この実施の形態のＳＩＰサーバ１のアドレス管理ＤＢ１０６において管理されるＩＰ網６に接続された端末装置についての管理情報は、当該端末装置から送信されてくるＵＲＩ（ＳＩＰ  ＵＲＩ）と、ＩＰアドレスである。この他、ＭＡＣアドレス等の送信されてくる他の情報を管理することも可能である。
【００４０】
そして、この実施の形態の電話システムにおけるＳＩＰサーバ１の配下の電話端末からＩＰ網６に接続された端末装置に対する発信要求（発呼要求）をＳＩＰサーバ１が受け付けたとする。この場合、ＳＩＰサーバ１の制御部１１０は、自己のアドレス管理ＤＢ１０６の管理情報に基づいて、目的とする相手先の端末装置を特定し、この特定した端末装置に対して、メッセージの転送を行う。
【００４１】
同様に、この実施の形態の電話システムにおけるＳＩＰサーバ１の配下の電話端末から当該ＳＩＰサーバ１にＬＡＮ接続されている当該ＳＩＰサーバ１の配下の他の電話端末に対する発信要求（発呼要求）をＳＩＰサーバ１が受け付けたとする。この場合、ＳＩＰサーバ１の制御部１１０は、自己のアドレス管理ＤＢ１０６の管理情報に基づいて、目的とする相手先の電話端末を特定し、この特定した電話端末に対して、メッセージの転送を行う。
【００４２】
また、ＩＰ網６や電話網７を通じて、自機にＬＡＮに接続されている電話端末に対する着信要求（外線着信）をＳＩＰサーバ１が受け付けたとする。この場合、ＳＩＰサーバ１の制御部１１０は、送信されてきたメッセージを受け付けて、これを自システム内に送出する。なお、外線着信であっても、例えば個別着信（着信先のＩＰ電話端末を特定した着信）や、ＳＩＰサーバ１にＬＡＮ接続された電話端末の内線の発着信の場合には、ＳＩＰサーバ１は相手先を特定して着信を通知する。すなわち、この場合、ＳＩＰサーバ１の制御部１１０は、自己のアドレス管理ＤＢ１０６の管理情報に基づいて、目的とする自配下の相手先の電話端末を特定し、この特定した自配下の電話端末に対して、メッセージの転送を行う。
【００４３】
また、発信に際して、ＩＰ電話番号が用いられる場合には、図１には図示しなかったが、ＩＰ網６に接続されているゲートウェイやＤＮＳ（Domain Name System）が利用されて、ＩＰ電話番号からＵＲＩなどが検索されて用いられることになる。相手先から、この実施の形態の電話システムのＳＩＰサーバ１の配下の電話端末に対して、ＩＰ電話番号を用いて電話をかける場合においても同様に、ＩＰ網６に接続されているゲートウェイやＤＮＳが利用されて、ＩＰ電話番号からＵＲＩなどが検索されて用いられることになる。
【００４４】
また、制御部１１０は、ＩＰ網Ｉ／Ｆ１０２、電話網Ｉ／Ｆ１０４、ＬＡＮＩ／Ｆ１０７を通じて、使用中の通信回線や空いている通信回線を把握し、適切に回線交換を行うこともできるようにしている。また、制御部１１０は、把握した通信回線の使用状態等に応じて、ＬＡＮ２を通じて接続される電話端末毎に供給すべきＬＥＤ等の点灯、消灯を制御するための制御情報を形成する。当該制御情報は、ＬＡＮＩ／Ｆ１０７、接続端子１０８を通じてＬＡＮ２に送出され、各電話端末等に送信される。
【００４５】
このように、この実施の形態のＳＩＰサーバ１は、パケット分解／生成部１０３やアドレス管理ＤＢ１０６を備え、ＳＩＰサーバ１が接続される種々のネットワークに接続される端末間のメッセージの中継を行うことができるものである。したがって、この実施の形態のＳＩＰサーバ１は、外線−内線間の接続や内線間の接続を行ったり、通信回線の使用状況を配下の無線通信端末に通知したりすることができるものである。
【００４６】
そして、上述もしたように、この実施の形態においては、ＳＩＰサーバ１に接続されたドック装置４に対して携帯電話端末５がＵＳＢケーブル８を通じて接続されると、当該ドック装置４に接続された携帯電話端末５が、ＳＩＰサーバ１の配下の電話端末となる。この場合、ドック装置４は、ＳＩＰサーバ１に対して、内線登録データ（内線番号、ＩＰアドレス、ポート番号）を提供し、自機に接続された携帯電話端末５をＳＩＰサーバ１の配下の電話端末として登録する。
【００４７】
これにより、ＳＩＰサーバ１においては、アドレス管理ＤＢ１０６において、図３を用いて説明したように、当該ドック装置４からの内線登録データが管理される。すなわち、ドック装置４に接続された携帯電話端末５が、ＳＩＰサーバ１の配下の電話端末としてＳＩＰサーバ１において管理することができるようにされる。
【００４８】
また、詳しくは後述もするが、ドック装置４は、当該内線登録データを自機に接続された携帯電話端末５にも提供し、登録するようにする。このようにして、ドック装置４が、ＳＩＰサーバ１と自機に接続された携帯電話端末５とに内線登録データを提供して登録するようにすることによって、ドック装置４に接続された携帯電話端末５をＳＩＰサーバ１の配下の内線電話端末として機能するようにしている。
【００４９】
なお、当該ドック装置４に接続されていた当該携帯電話端末５が切り離されると、当該ドック装置４は、ＳＩＰサーバ１に対して当該携帯電話端末５を配下の電話端末から離脱させるようにする要求を提供する。この場合、ＳＩＰサーバ１においては、アドレス管理ＤＢ１０６から当該ドック装置４の内線登録データが抹消され、当該携帯電話端末５は、ＳＩＰサーバ１の配下から離脱するようにされる。
【００５０】
また、図２において、パケット分解／生成部１０３は、独立した回路部分として示しているが、これに限るものではない。パケット分解／生成部１０３は、制御部１１０において実行されるプログラムにより、制御部１１０の機能として実現することももちろん可能である。
【００５１】
［ドック装置４の構成例］
次に、第１の実施の形態の電話システムで用いられるドック装置４の構成について説明する。図４は、第１の実施の形態の電話システムのドック装置４の構成例を説明するためのブロック図である。
【００５２】
第１の実施の形態のドック装置４は、図４に示すように、ＬＡＮ接続端子４０１、ＬＡＮＩ／Ｆ４０２、外部端子４１１、外部インターフェース（以下、外部Ｉ／Ｆと略称する。）４１２、充電電流供給部４１３、ＡＣコンセント４１４、接続端末登録メモリ４２１、端末登録離脱処理部４２２、内線情報提供処理部４２３、送受信信号処理部４２４、ＩＤ管理メモリ４２５、制御部４３０を備えている。制御部４３０は、この実施の形態のドック装置４の各部を制御するものであり、ＣＰＵ４３１、ＲＯＭ４３２、ＲＡＭ４３３、ＥＥＰＲＯＭ４３４が、ＣＰＵバス４３５を通じて接続されて構成されたマイクロコンピュータである。
【００５３】
ＣＰＵ４３１は、ＲＯＭ４３２に記憶保持されているプログラムを読み出して実行し、各部に供給する制御信号を形成してこれを各部に供給したり、また、各部から供給されるデータを処理したりするものである。ＲＯＭ４３２は、上述のように、ＣＰＵ４３１で実行される種々のプログラムや処理に必要になる各種のデータが記憶保持されたものである。また、ＲＡＭ４３３は、処理の途中結果を一時記憶するなど、主に作業領域として用いられるものである。
【００５４】
また、ＥＥＰＲＯＭ４３４は、電源が落とされても保持しておくべきデータ、例えば、種々の設定パラメータや機能アップのために提供された新たなプログラムなどについても記憶保持することができるようにされている。なお、ＥＥＰＲＯＭ４３４は、ドック装置４に対して予め設定される内線番号、ＩＰアドレス、ポート番号などからなる図１に示した内線登録データ（内線情報）についても記憶保持している。
【００５５】
ＬＡＮ接続端子４０１は、ＬＡＮ２への接続端部を構成するものである。ＬＡＮＩ／Ｆ４０２は、ＬＡＮ２を通じて供給されるパケットを受け付けて、これを自機において処理可能な形式のパケットに変換して制御部４３０に供給する。また、ＬＡＮＩ／Ｆ４０２は、制御部４３０を通じて供給される送信すべきパケットを送信用の形式のパケットに変換して、これをＬＡＮ２に送出する。
【００５６】
外部端子４１１は、外部機器である携帯電話端末５との接続端部を構成するものであり、データ端子と充電端子とを有するものである。このため、図４に示したように、外部端子４１１には、外部Ｉ／Ｆ４１２と、充電電流供給部４１３とが接続されている。外部端子４１１に携帯電話端末５などの外部機器が接続されると、外部Ｉ／Ｆ４１２は、当該携帯電話端末５との間で接続時の信号のやり取りをすることにより、携帯電話端末５が接続されたことを検知し、制御部４３０に通知する。これにより、制御部４３０は、外部端子４１１を通じて自機に携帯電話端末５が接続されたことを認識することができる。
【００５７】
また、外部Ｉ／Ｆ４１２は、外部端子４１１を通じて供給される携帯電話端末５からのデータを受け付けて、これを自機において処理可能な形式のデータに変換して制御部４３０に供給する。また、外部Ｉ／Ｆ４１２は、外部端子４１１に接続された携帯電話端末５に供給する制御部４３０からのデータを出力用の所定の形式のデータに変換して、これを外部端子４１１を通じて出力する。
【００５８】
充電電流供給部４１３は、ＡＣコンセント４１４から送られてくる商用交流電圧から直流の充電電流を生成する。そして、充電電流供給部４１３は、外部Ｉ／Ｆ４１２からの携帯電話端末５がドック装置４に接続されたことの検知通知に基づく制御部４３０の制御により駆動状態に制御されて、充電電流を、外部端子を通じて携帯電話端末５に供給するようにする。
【００５９】
そして、この実施の形態において、ドック装置４の外部端子４１１、外部Ｉ／Ｆ４１２、充電電流供給部４１３からなる部分は、ＵＳＢ（Universal Serial Bus）規格に準拠したものである。すなわち、この実施の形態において、ドック装置４の外部端子４１１はＵＳＢ端子である。
【００６０】
接続端末登録メモリ４２１は、外部端子４１１を通じて当該ドック装置４に対して接続可能な携帯電話端末５の端末識別情報と接続状態を示す情報とを記憶保持するものである。この接続端末登録メモリ４２１の登録情報に基づいたチェックにより、当該ドック装置４に対して予め決められた携帯電話端末だけの接続を可能し、部外者の携帯電話端末がドック装置４に接続されて当該電話システムを通じて通話が行われることを防止することができるようにしている。
【００６１】
図５は、接続端末登録メモリ４２１において管理される情報の例を説明するための図である。図５に示すように、接続端末登録メモリ４２１には、Ｎｏ．（シーケンスナンバー）、接続状況、登録端末、電話番号、キャリア（契約電話会社（契約事業者））が登録するようにされる。Ｎｏ．は登録順に割り振られるシーケンス番号である。接続状況は、ドック装置４に対して、どの携帯電話端末が接続され、どの携帯電話端末が接続されていないのかを示す情報である。
【００６２】
また、登録端末は、当該電話システムにおいて各携帯電話端末５を識別するために用いられる情報であり、例えば、各携帯電話端末のＭＡＣ（Media Access Control）アドレスなどが用いられる。なお、登録端末を示す情報としては、接続可能な携帯電話端末を特定可能な情報であればよく、例えば、各携帯電話端末に登録されるユーザ名等であってもよい。また、電話番号は、各携帯電話端末５に割り当てられた電話番号であり、キャリアは当該携帯電話端末を携帯電話網に接続して通信を行えるようにするサービスを提供する携帯電話会社（事業者）の名称である。
【００６３】
これらの情報の内、登録端末、電話番号、キャリアの各情報（端末識別情報）は、例えば、この実施の形態の電話システムの管理者によって、当該電話システムを利用することができるユーザの携帯電話端末５の情報が予め登録するようにされる。また、接続状況は、ドック装置４への携帯電話端末５の実際の接続状況に応じて、ドック装置４において更新する情報である。
【００６４】
そして、図５に示した例の場合には、当該ドック装置４には、端末Ａ〜端末Ｊまでの異なる１０台の携帯電話端末５が接続可能なものとして予め登録されている場合を示している。また、図５に示した例の場合には、端末Ａ〜端末Ｊの内、端末Ａが、現在、当該ドック装置４に接続されていることを示している。
【００６５】
そして、端末登録離脱処理部４２２は、当該ドック装置４に対して携帯電話端末５が接続された場合に、当該携帯電話端末５をＳＩＰサーバ１に対して配下の電話端末として登録する処理を行う。また、端末登録離脱処理部４２２は、当該ドック装置４に接続された携帯電話端末５が離脱するようにされた場合に、ＳＩＰサーバ１の配下の電話端末として登録した当該携帯電話端末５をＳＩＰサーバ１の配下から離脱させるようにする処理を行う。
【００６６】
具体的に、外部端子４１１に携帯電話端末５が接続されたことを、外部Ｉ／Ｆ４１２を通じて制御部４３０が検知し、当該携帯電話端末５から提供される端末識別情報と同じ端末識別情報が接続端末登録メモリ４２１に登録されていると判別したとする。この場合に、制御部４３０が、端末登録離脱処理部４２２を制御して、当該ドック装置４に接続された携帯電話端末５が、ＳＩＰサーバ１の配下の電話端末となるようにするための登録処理を行う。
【００６７】
すなわち、端末登録離脱処理部４２２は、制御部４３０の制御に応じて、ＳＩＰサーバ１への登録要求を形成し、これを制御部４３０、ＬＡＮＩ／Ｆ４０２、ＬＡＮ接続端子４０１を通じて、ＳＩＰサーバ１に送信するようにする。ここで、登録要求は、当該要求が登録要求であることを示す情報と、図３を用いて説明したように、内線登録データ（内線番号、ＩＰアドレス、ポート番号）を含むものである。ＳＩＰサーバ１では、ドック装置４からの登録要求に基づいて、要求元の電話端末についての内線番号、ＩＰアドレス、ポート番号がアドレス管理ＤＢ１０６に登録される。このようにして、当該ドック装置４に接続された携帯電話端末５が、ＳＩＰサーバ１の配下の電話端末となるようにされる。
【００６８】
また、端末登録離脱処理部４２２は、外部端子４１１に接続された携帯電話端末５が、当該外部端子４１１から離脱したことを外部Ｉ／Ｆ４１２を通じて制御部４３０が検知した場合に、離脱処理を行う。この場合、端末登録離脱処理部４２２は、制御部４３０の制御に応じて、ＳＩＰサーバ１への離脱要求を形成し、これを制御部４３０、ＬＡＮＩ／Ｆ４０２、ＬＡＮ接続端子４０１を通じて、ＳＩＰサーバ１に送信するようにする。ここで離脱要求は、当該要求が離脱要求であることを示す情報と、例えば、内線登録データを含むものである。ＳＩＰサーバ１では、ドック装置４からの離脱要求に基づいて、要求元の電話端末についての内線登録データをアドレス管理ＤＢ１０６から削除する。これにより、当該ドック装置４に接続された携帯電話端末５が、ＳＩＰサーバ１の配下から離脱するようにされる。
【００６９】
内線情報提供処理部４２３は、当該ドック装置４に接続された携帯電話端末５に対して、当該携帯電話端末５がＳＩＰサーバ１の配下の電話端末となるための情報である内線登録データ（内線情報）を提供する処理を行う。すなわち、当該ドック装置４に携帯電話端末５が接続され、これが制御部４３０において検知されると、制御部４３０が内線情報提供を制御して、内線情報提供処理部４２３を機能させる。この場合、内線情報提供処理部４２３は、制御部４３０を通じてＥＥＰＲＯＭ４３４に格納されている内線登録データを読み出し、これを携帯電話端末５に供給する形式のデータに変換する。そして、内線情報提供処理部４２３は、変換した内線登録データを制御部４３０、外部Ｉ／Ｆ４１２、外部端子４１１を通じて携帯電話端末５に供給する。これにより、当該携帯電話端末５に対して内線登録データが提供されて、登録されることになる。
【００７０】
このように、ドック装置４の端末登録離脱処理部４２２と内線情報提供処理部４２３とが機能して、内線登録データ（内線情報）をＳＩＰサーバ１とドック装置４に接続された携帯電話端末５とに供給する。これによって、ドック装置４に接続された携帯電話端末５が、ＳＩＰサーバ１の配下の電話端末（内線電話）として機能することができるようにされる。
【００７１】
送受信信号処理部４２４は、ＳＩＰサーバ１と外部端子４１１に接続される携帯電話端末５との間において送受される種々の信号を処理する。具体的に、ＳＩＰサーバ１からドック装置４に接続された携帯電話端末５に対する信号（データ）は、ＬＡＮ接続端子４０１、ＬＡＮＩ／Ｆ４０２を通じて受け付けられ、制御部４３０を介して、送受信信号処理部４２４に供給される。送受信信号処理部４２４は、ＳＩＰサーバ１からの信号をパケット分解するなどして、携帯電話端末５に供給する形式の信号に変換し、制御部４３０、外部Ｉ／Ｆ４１２、外部端子４１１を通じて携帯電話端末５に提供する。
【００７２】
また、ドック装置４に接続された携帯電話端末５からＳＩＰサーバ１への信号（データ）は、外部端子４１１、外部Ｉ／Ｆ４１２を通じて受け付けられ、制御部４３０を通じて送受信信号処理部４２４に供給される。送受信信号処理部４２４は、携帯電話端末５からの信号からＳＩＰサーバ１に供給する形式のパケットを形成し、これを制御部４３０、ＬＡＮＩ／Ｆ４０２、ＬＡＮ接続端子４０１を通じてＳＩＰサーバ１に供給する。ここで、ＳＩＰサーバ１とドック装置４に接続された携帯電話端末５との間で送受される信号は、種々の制御信号の他、通信路を接続した後に送受される通話音声をも含むものである。
【００７３】
ＩＤ管理メモリ４２５は、各携帯電話端末が保持し、ドック装置４に接続された携帯電話端末５から提供される識別用情報を記憶保持するためのものである。識別用情報は、上述もしたように、携帯電話端末で携帯電話通信をするために必要な情報であって携帯電話端末毎に異なるものであり、例えば、ＳＩＭカードに記憶されているＳＩＭカード情報である。
【００７４】
図６は、ＩＤ管理メモリ４２５に記憶保持されるデータの例を説明するための図である。図６に示すように、ＩＤ管理メモリ４２５には、ＳＩＭカードの識別情報（カードＩＤ）と、使用端末、電話番号、キャリア（携帯電話事業者）、残額、のそれぞれが記録される。また、使用端末の情報としては、そのＳＩＭカードのＳＩＭカード情報を使用していた携帯電話端末５の識別情報、この例では例えば携帯電話端末のＭＡＣアドレス（図６では、ＭＡＣ−Ａと記載）が記録される。
【００７５】
また、電話番号、キャリア、残額の情報としては、ＳＩＭカード情報に含まれる加入者電話番号、携帯電話事業者、通信料金の決済に関する情報が記録される。残額が「ｃａｒｄ」と記録されているときには、通信料金の決済はクレジットカードによることを意味している。なお、残額が「２３００」のように数値で記録されている場合もある。この様な場合には、通信料金の決済はプリペイドによるもので、残額としてその数値分（２３００円）残っていることを意味するものとなる。
【００７６】
このように、この第１の実施の形態のドック装置４においては、自機に接続された携帯電話端末５において使用されていた識別用情報であるＳＩＭカードの情報と携帯電話端末５のＭＡＣアドレス（使用端末を識別する情報）を、ＩＤ管理メモリ４２５において管理できるようにしている。これにより、ドック装置４に接続された携帯電話端末５においては、利用していた識別用情報をメモリから消去することにより、携帯電話網を通じた通信ができないようにして、携帯電話端末としての機能を停止させることができるようにしている。なお、携帯電話端末５の詳細については後述する。また、携帯電話端末としての機能を停止とは、主に携帯電話網を通じての通信をできないようにすることを意味するが、広くは、携帯電話端末５が単独で実現する機能を停止させることを意味する。
【００７７】
このように、この第１の実施の形態のドック装置４は、自機に接続された携帯電話端末５をＳＩＰサーバ１の配下の電話端末とするように機能する。そして、ドック装置４に接続された携帯電話端末５は、ＳＩＰサーバ１とドック装置４とを通じて、ＬＡＮ２に接続された他の電話端末やＩＰ網６や電話網７に接続された電話端末との間で通話を行うことができるようにしている。また、ドック装置４は、自機に接続された携帯電話端末５が、自機から切り離された場合には、ＳＩＰサーバ１の配下の電話端末とした当該携帯電話端末５を、ＳＩＰサーバ１の配下から離脱させることもできるものである。
【００７８】
なお、図４において、二重線で示した端末登録離脱処理部４２２と、内線情報提供処理部４２３と、送受信信号処理部４２４とは、それぞれ独立した回路部分として示しているが、制御部４３０において実行されるプログラムにより、制御部４３０の機能として実現することももちろん可能である。また、内線登録データ（内線情報）を記憶保持する専用のメモリを設けたり、接続端末登録メモリ４２１やＩＤ管理メモリ４２５の機能をＥＥＰＲＯＭ４３４などの既存のメモリや記憶装置に持たせたりすることも可能である。
【００７９】
［携帯電話端末５の構成例］
次に、この第１の実施の形態の電話システムで用いられる携帯電話端末５の構成について説明する。図７は、この第１の実施の形態の電話システムの携帯電話端末５の構成例を説明するためのブロック図である。
【００８０】
図７に示すように、この実施の形態の携帯電話端末５は、無線通信処理系として、送受信アンテナ５０１、電話通信部５０２、送受信信号処理部５０３、通話音声処理部５０４を備えている。通話音声処理部５０４には、受話アンプ５０５を通じて受話器（スピーカ）５０６が接続され、また、送話器（マイクロホン）５０７が、送話アンプ５０８を通じて接続されている。
【００８１】
また、携帯電話端末５は、携帯電話端末として機能するために必要な識別用情報であるＳＩＭカード情報を記憶保持するＳＩＭカード情報メモリ５１０を備えている。また、携帯電話端末５は、ドック装置４に接続された場合に、ＳＩＰサーバ１の配下の電話端末として機能するための部分として、メッセージ処理部５１１と、内線情報管理部５１２と、通話音声変換部５１３とを備えている。
【００８２】
また、携帯電話端末５は、ユーザインターフェースを構成する部分として、操作入力部５２１、操作入力Ｉ／Ｆ５２２、ディスプレイコントローラ５２３、ディスプレイ５２４、リンガ５２５を備えている。ディスプレイ５２４は、この例では、ＬＣＤ（Liquid Crystal Display）である。この他、有機ＥＬディスプレイ（organic electroluminescence display）などのいわゆる薄型の表示素子を用いることもできる。なお、図示しないが、携帯電話端末５には、着信などを通知するためのバイブレータなども設けられている。さらに、携帯電話端末５は、外部端子５３１、外部Ｉ／Ｆ５３２、充電回路５３３、バッテリ５３４を備えると共に、携帯電話端末５の各部を制御する制御部５４０を備えている。
【００８３】
制御部５４０は、ＣＰＵ５４１、ＲＯＭ５４２、ＲＡＭ５４３、ＥＥＰＲＯＭ５４４が、ＣＰＵバス５４５を通じて接続されて形成されたマイクロコンピュータである。ＣＰＵ５４１は、ＲＯＭ５４２に記憶されているプログラムを読み出して実行し、各部に供給する制御信号を形成して、これを各部に供給したり、各部から送信されてくるデータを受け付けて、これに応じた処理を実行したりする。ＲＯＭ５４２は、ＣＰＵ５４１において実行されるプログラムや処理に必要になる種々のデータが予め記録されたものである。
【００８４】
また、ＲＡＭ５４３は、処理の途中結果を一時記憶するなど、主に作業領域として用いられるものである。また、ＥＥＰＲＯＭ５４４は、いわゆる不揮発性メモリであり、携帯電話端末５の電源を落としても保持しておくべきデータ等が記憶保持される。ＥＥＰＲＯＭ５４４には、例えば、種々の設定パラメータ、アプリケーションプログラムや機能アップのための追加プログラム、電話帳データなどが記憶保持される。
【００８５】
そして、送受信アンテナ５０１は、携帯電話網との間でデータを送受する端部である。電話通信部５０２は、携帯電話網の基地局を通じて相手と通信をするためのものである。送受信信号処理部５０３は、制御部５４０の制御の下、電話通信部５０２を通じて受信した通信情報を解析して、呼制御メッセージや通話信号をデコードし、制御部５４０に供給すると共に、電話通信部５０２を通じて送信する送信信号を生成する。
【００８６】
通話音声処理部５０４は、制御部５４０の制御の下、送受信信号処理部５０３からの受話音声情報を、デジタル信号からアナログ信号に変換し、受話アンプ５０５に供給する。受話アンプ５０５に供給された受話音声信号は、ここで増幅された後に受話器５０６に供給されて音響再生される。通話音声処理部５０４は、また、送話器５０７で収音され、送話アンプ５０８で増幅された送話音声信号を、アナログ信号からデジタル信号に変換して、制御部５４０の制御の下、送受信信号処理部５０３に供給する。そして、上述したように、送受信信号処理部５０３は、通話音声処理部５０４からのデジタル化された送話音声信号から送信する送信信号を生成し、これを電話通信部５０２に供給して送信するようにする。
【００８７】
操作入力部５２１は、数字キー、オフフックキー、オンフックキー、その他の各種のファンクションキー等が設けられ、ユーザからの操作入力を受け付ける部分である。操作入力部５２１を通じて受け付けられたユーザからの操作入力は、操作入力Ｉ／Ｆ５２２において電気信号に変換されて、制御部５４０に通知される。これにより、制御部５４０が操作入力Ｉ／Ｆ５２２からの信号に応じて各部を制御し、ユーザの指示に応じた処理を行うことができるようにされる。
【００８８】
ディスプレイコントローラ５２３は、制御部５４０の制御に応じてディスプレイ５２４に情報を表示するための表示用信号を形成し、これをディスプレイ５２４に供給する。これによりディスプレイ５２４には、種々の情報が表示される。例えば、着信時においては、発信元の電話番号や名前、発信時においては、例えばＥＥＰＲＯＭ５４４の電話帳ＤＢに登録されている電話帳データ等が表示される。
【００８９】
この他、待ち受け時においては、所定の待ち受け画面をディスプレイ５２４に表示したり、各種のエラーメッセージやガイダンスメッセージなども表示したりすることもできるようにされる。なお、電話帳ＤＢは、よく電話を掛けたり、よく電話が掛かってきたりする相手先の電話番号、名前、住所、電子メールアドレス等の情報を多数、記憶保持することができるものである。
【００９０】
外部端子５３１は、外部機器であるドック装置４との接続端部を構成するものであり、データ端子と充電端子とを有するものである。このため、図６に示したように、外部端子５３１には、外部Ｉ／Ｆ５３２と、充電回路５３３とが接続されている。
【００９１】
外部Ｉ／Ｆ５３２は、外部端子５３１を通じて接続されたドック装置４との間でデータを送受するためのものである。外部端子５３１にドック装置４が接続されると、外部Ｉ／Ｆ５３２は、当該ドック装置４との間で接続時の信号のやり取りをすることにより、ドック装置４に接続されたことを検知し、制御部５４０に通知する。これにより、制御部５４０は、外部端子５３１を通じて自機がドック装置４に接続されたことを認識することができる。
【００９２】
また、外部Ｉ／Ｆ５３２は、外部端子５３１を通じて供給されるドック装置４からのデータを受け付けて、これを自機において処理可能な形式のデータに変換して制御部５４０に供給する。また、外部Ｉ／Ｆ５３２は、外部端子５３１に接続されたドック装置４に供給する制御部５４０からのデータを出力用の所定の形式のデータに変換して、これを外部端子５３１を通じて出力する。
【００９３】
充電回路５３３は、外部端子５３１の充電端子を通じてドック装置４から送られてくる充電電流からバッテリに供給する電流を生成する。そして、充電回路５３３は、外部Ｉ／Ｆ５３２からのドック装置４に接続されたことの検知通知に基づく制御部５４０の制御により駆動状態に制御されて、充電用に生成した電流をバッテリ５３４に供給する。これにより携帯電話端末５のバッテリ５３４の充電が行われる。
【００９４】
なお、この実施の形態において、携帯電話端末５の外部端子５３１、外部Ｉ／Ｆ５３２、充電回路５３３からなる部分は、ＵＳＢ（Universal Serial Bus）規格に準拠したものである。すなわち、この実施の形態において、携帯電話端末５の外部端子５３１はＵＳＢ端子である。
【００９５】
そして、この実施の形態の携帯電話端末５は、外部端子５３１を通じてドック装置４に接続された場合には、ＳＩＰサーバ１の配下の電話端末となるようにされる。この場合、ＳＩＭカード情報メモリ５１０の情報の使用を禁止すると共に、メッセージ処理部５１１、内線情報管理部５１２、通話音声変換部５１３が機能する。
【００９６】
詳しくは後述もするが、当該携帯電話端末５がドック装置４に接続されると、制御部５４０が、ＳＩＭカード情報メモリ５１０の識別用情報（ＳＩＭカード情報）等の必要な情報をドック装置４に送信する。この後、制御部５４０は、ＳＩＭカード情報メモリ５１０からＳＩＭカード情報を消去する。これにより、識別用情報であるＳＩＭカード情報が携帯電話端末５において使用できなくなるので、携帯電話端末５は携帯電話網を通じた通信が行えなくなる。このように、この実施の形態の携帯電話端末５には、ＳＩＭカード自体は搭載されず、ＳＩＭカードの情報がＳＩＭカード情報メモリ５１０に記録されている場合に携帯電話端末として機能することができるものである。
【００９７】
そして、メッセージ処理部５１１は、制御部５４０の制御の下、携帯電話端末５が外部端子５３１を通じてドック装置４に対して接続された場合に、ドック装置４との間で送受されるメッセージ（要求、指示、通知、応答等）を処理する。具体的に、メッセージ処理部５１１は、外部端子５３１を通じて接続されたドック装置４からのメッセージ情報を受け付け、これを制御部５４０において利用できるようにして制御部５４０に供給する。これにより、制御部５４０は、ドック装置４からのメッセージに対応した処理を行うことができるようにされる。
【００９８】
また、メッセージ処理部５１１は、自機からドック装置４に対して提供するメッセージを形成し、これを制御部５４０、外部Ｉ／Ｆ５３２、外部端子５３１を通じて、ドック装置４に供給する。ここで、自機からドック装置４に提供するメッセージとしては、例えば、操作入力部５２１を通じて受け付けたユーザからの指示に応じて提供する必要が生じメッセージや、ドック装置４から提供されたメッセージに対応して提供する必要が生じたメッセージなどである。
【００９９】
また、内線情報管理部５１２は、ドック装置４から提供される内線管理データ（内線情報）を受け付けて、これを内線情報管理部５１２が備えるメモリ、あるいは、ＥＥＰＲＯＭ５４４に格納して利用できるように管理する。これにより、自機から発信する場合には、メッセージ処理部５１１が、当該内線管理データを発信元情報として用いて発信メッセージを形成し、これをドック装置４を通じてＳＩＰサーバ１に送信するようにして発信することができるようにされる。また、当該内線管理データに基づいて、制御部５４０は、自機への着信を判別し、自機への着信が発生した場合に、これを報知し、ユーザ操作に応じて応答することができるようにされる。
【０１００】
通話音声変換部５１３は、ＳＩＰサーバ１とドック装置４とを通じて、相手先と自機（携帯電話端末５）との間で送受する通話音声を処理する。具体的には、ＳＩＰサーバ１及びドック装置４を通じて提供されるＩＰ網６や電話網７に接続された相手先の電話端末からの通話音声は、外部端子５３１、外部Ｉ／Ｆ５３２、制御部５４０を通じて通話音声変換部５１３に供給される。通話音声変換部５１３は、供給された相手先の通話音声データから通話音声処理部５０４に供給する形式の音声データを形成し、これを制御部５４０を通じて通話音声処理部５０４に供給する。これにより、通話の相手先からの音声データが、通話音声処理部５０４でアナログ音声信号に変換され、受話アンプ５０５を通じて受話器５０６に供給されて音響再生される。
【０１０１】
また、通話音声変換部５１３は、送話器５０７を通じて集音され、送話アンプ５０８及び通話音声処理部５０４で処理された自機のユーザからの通話音声データを、ドック装置４に対して供給する形式の音声データに変換する。ここで変換された自機のユーザからの音声データは、制御部５４０、外部Ｉ／Ｆ５３２、外部端子５３１を通じてドック装置４に供給され、ドック装置４からＳＩＰサーバ１を通じて通話の相手先に送信するようにされる。このように、通話音声変換部５１３の機能により、ドック装置４を通じて、携帯電話端末５が内線電話端末として機能し、ＳＩＰサーバ１を通じて通信路を接続している相手先との間で通話を行うことができるようにされる。
【０１０２】
なお、上述もしたが、ドック装置４は、予め接続端末登録メモリ４２１に予め登録された端末識別情報に合致する携帯電話端末５の接続だけを許可するようにされている。このため、制御部５４０の機能により、自機の端末情報（ＭＡＣアドレス）と識別用情報（ＳＩＭカード情報）をドック装置４に提供し、認証を取ることができるようにされる。
【０１０３】
そして、携帯電話端末５は、ドック装置４において接続が許可されると、当該ドック装置４を通じて、ＳＩＰサーバ１の配下の電話端末となる。このため、ドック装置４に対して接続されると、制御部５４０の制御の下、メッセージ処理部５１１、内線情報管理部５１２、通話音声変換部５１３が適宜機能するようにされる。これにより、ドック装置４に接続された携帯電話端末５は、ＳＩＰサーバ１の配下の電話端末として機能し、通信の相手先と通話を行うことができるようにされる。
【０１０４】
なお、図６において、二重線で示したメッセージ処理部５１１と、内線情報管理部５１２と、通話音声変換部５１３とは、それぞれ独立した回路部分として示しているが、これに限るものではない。メッセージ処理部５１１、内線情報管理部５１２、通話音声変換部５１３のそれぞれは、制御部５４０において実行されるプログラムにより、制御部５４０の機能として実現することももちろん可能である。
【０１０５】
［携帯電話端末５の電話システムへの接続から離脱までの処理１］
図８は、この第１の実施の形態の電話システムにおける携帯電話端末５の電話システムへの接続から離脱までの処理について説明するためのシーケンス図である。上述もしたように、この第１の実施の形態の電話システムにおいては、ドック装置４の外部端子（ＵＳＢ端子）４１１と携帯電話端末５の外部端子５３１とがＵＳＢケーブル８によって有線接続される。
【０１０６】
そして、携帯電話端末５の制御部５４０は、外部端子４１１及び外部Ｉ／Ｆ５３２を通じてドック装置４と通信を行うことにより、自機がドック装置４に接続されたことを検知することができる（ステップＳ１）。同様に、ドック装置４の制御部４３０は、外部端子４１１及び外部Ｉ／Ｆ４１２を通じて携帯電話端末５と通信を行うことにより、自機に携帯電話端末５が接続されたことを検知することができる（ステップＳ２）。
【０１０７】
この場合、ドック装置４の制御部４３０は、まず、自機に接続された携帯電話端末５に対して、識別用情報の提供を要求する（ステップＳ３）。ここで、識別用情報は、ＳＩＭカード情報であるカードＩＤ、電話番号、キャリア、残額の各情報と、当該携帯電話端末５のＭＡＣアドレス（端末情報（端末ＩＤ））からなるものである。当該識別用情報の提供要求は、外部Ｉ／Ｆ４１２及ぶ外部端子４１１を通じて携帯電話端末５に送信される。
【０１０８】
携帯電話端末５の制御部５４０は、識別用情報の提供要求を受信すると、自機の識別用情報をドック装置４に提供する処理を実行する（ステップＳ４）。ステップＳ４において携帯電話端末５の制御部５４０は、ＳＩＭカード情報メモリ５１０からＳＩＭカード情報を、また、例えばＲＯＭ５４２からＭＡＣアドレスを読み出し、これらを識別用情報としてドック装置４に提供（送信）する。なお、識別用情報は、制御部５４０、外部Ｉ／Ｆ５３２及び外部端子５３１を通じて、ドック装置４に送信される。
【０１０９】
このように、ドック装置４と携帯電話端末５との間の種々の信号の送受は、ドック装置４の外部端子４１１と携帯電話端末５の外部端子５３１とを接続するＵＳＢケーブル８を通じて行われる。
【０１１０】
そして、ドック装置４は、携帯電話端末５からの識別用情報のＭＡＣアドレスに基づいて、接続端末登録メモリ４２１の情報を参照し、当該携帯電話端末５は自機に接続可能なものか否かを判別し、接続可能なものであれば各メモリの更新処理を行う（ステップＳ５）。この場合、ドック装置４の制御部４３０は、接続端末登録メモリ４２１の対応する携帯電話端末の情報の接続状況の欄に当該携帯電話端末５が「接続中」であることを示す情報を更新する。さらに、ステップＳ５においてドック装置４の制御部４３０は、携帯電話端末５からの識別情報を、図６を用いて説明したように、ＩＤ管理メモリ４２５に登録（更新）する。
【０１１１】
一方、携帯電話端末５においては、制御部５４０が、ＳＩＭカード情報メモリ５１０に記憶していた識別用情報（ＳＩＭカード情報）を消去し、当該識別用情報を解放（使用不能に）する（ステップＳ６）。これにより、携帯電話端末５は、携帯電話網を通じての通信ができないようにされる。なお、ステップＳ６の処理は、例えば、ドック装置４からの識別用情報の登録完了通知を受けた後に行うようにしてもよい。
【０１１２】
また、ステップＳ５において、自機に接続された携帯電話端末５は、自機に接続できないものであるとドック装置４の制御部４３０が判別したとする。この場合、ドック装置４の制御部４３０は、例えば、接続不能であることを通知するメッセージを形成し、これを当該携帯電話端末５に送信して、当該ステップＳ５以降の処理を行わないようにする。これにより、ドック装置４に対して予め接続が許可されていない携帯電話端末は、ドック装置４を通じて当該電話システムに対して接続することができないようにされる。
【０１１３】
そして、ドック装置４の端末登録離脱処理部４２２が機能し、ＥＥＰＲＯＭ４３４に保持している内線登録データ（内線情報）である内線番号、ＩＰアドレス、ポート番号などの情報を、ＳＩＰサーバ１に送信し、内線情報の登録処理を行うようにする（ステップＳ７）。内線登録データは、ＬＡＮＩ／Ｆ４０２及びＬＡＮ接続端子４０１を通じて、ＬＡＮ２に送出され、ＳＩＰサーバ１に送信される。
【０１１４】
ＳＩＰサーバ１は、当該内線登録データを接続端子１０１およびＩＰ網Ｉ／Ｆ１０２を通じて受け付けると、制御部１１０が、アドレス管理ＤＢ１０６に登録する処理を行う（ステップＳ８）。当該登録処理が完了すると、ＳＩＰサーバ１の制御部１１０は、ドック装置４宛ての登録応答（登録完了通知）を形成し、これをＩＰ網Ｉ／Ｆ１０２及び接続端子１０１を通じてＬＡＮ２に送出し、ドック装置４に送信する（ステップＳ９）。これにより、ドック装置４は、ＳＩＰサーバ１において、適切に内線登録データの登録が行われたことを認識することができる。
【０１１５】
このように、ＳＩＰサーバ１とドック装置４との間の種々の信号の送受は、ＳＩＰサーバ１の接続端子１０１とドック装置４のＬＡＮ接続端子４０１を接続するＬＡＮ２を通じて行われる。
【０１１６】
そして、ドック装置４の内線情報提供処理部４２３が機能し、ＳＩＰサーバ１に提供した内線登録データ（内線情報）を、携帯電話端末５に供給する形式のデータに変換し、これを自機に接続された携帯電話端末５にも提供する（ステップＳ１０）。携帯電話端末５の制御部５４０は、ドック装置４からの内線登録データを受け付けると、これを内線情報管理部５１２に供給する。内線情報管理部５１２は、提供された内線登録データ（内線情報）を自己が備えるメモリに、あるいは、ＥＥＰＲＯＭ５４４に登録する（ステップＳ１１）。
【０１１７】
なお、ステップＳ１１においては、制御部５４０が、ディスプレイコントローラ５２３を制御し、ディスプレイ５２４の表示画面に、自機がＳＩＰサーバ１の配下の電話端末になったことを示す情報を表示する処理も行われる。具体的には、受信電界強度やバッテリ残量の表示に替えて、例えば、「内線番号２０１０」や「内線電話」などといった表示を行うことにより、携帯電話端末５が電話システムの内線電話として機能する状態になったことをユーザに対して通知するようにされる。
【０１１８】
このように、携帯電話端末５をドック装置４に接続することにより、当該携帯電話端末５は、携帯電話網を通じての通信は行うことができないようにされ、ＳＩＰサーバ１の配下の電話端末として機能するようにされる（ステップＳ１２）。そして、当該携帯電話端末５は、ドック装置４及びＳＩＰサーバ１を通じて、ＬＡＮ２に接続された他の通信端末や、ＩＰ網６や電話網７に接続された他の通信端末との間に通信路を接続し、通話を行うことができるようにされる。この場合、携帯電話端末としての機能は識別用情報が解放されることにより不能にされるので、携帯電話網を通じて自機宛て電話がかかってくることもないようにされる。したがって、当該電話システムに接続されている携帯電話端末５は、携帯電話網に比べて通信コストが安価な通信網を通じての通話ができるようにされる。
【０１１９】
この後、ドック装置４に接続された携帯電話端末５が、外部に持ち出すようにされたとする。すなわち、ドック装置４と携帯電話端末５とを接続していたＵＳＢケーブル８が取り外されたとする。この場合、携帯電話端末５においては、外部端子５３１及び外部Ｉ／Ｆ５３２を通じてデータの送受を行うことができなくなるので、ドック装置４からの離脱を検知することができる（ステップＳ１３）。
【０１２０】
そして、携帯電話端末５の制御部５４０は、自機の内線電話として機能している状態を解除し、元の携帯電話端末として機能する状態に戻るようにする（ステップＳ１４）。具体的には、メッセージ処理部５１１、内線情報管理部５１２、通話音声変換部５１３の機能を停止させ、携帯電話端末として機能させるようにする。ただし、識別用情報であるＳＩＭカード情報は、ドック装置４に提供した後に、ＳＩＭカード情報メモリ５１０から削除したので、識別用情報なし状態の携帯電話端末となり、このままでは、携帯電話網を通じた通信もできない状態とされる（ステップＳ１５）。
【０１２１】
一方、ドック装置４の制御部４３０もまた、外部端子４１１及び外部Ｉ／Ｆ４１２を通じて携帯電話端末５とデータの送受を行うことができなくなるので、自機に接続された携帯電話端末５の離脱を検知することができる（ステップＳ１６）。この場合、ドック装置４の端末登録離脱処理部４２２は、ＳＩＰサーバ１に対して内線登録データを含む、ＳＩＰサーバ１からの離脱要求を形成し、これをＳＩＰサーバ１に提供する（ステップＳ１７）。
【０１２２】
そして、当該離脱要求の提供を受けたＳＩＰサーバ１の制御部１１０は、自己のアドレス管理ＤＢ１０６から、対応する内線登録データを消去する離脱処理を実行する（ステップＳ１８）。この後、ＳＩＰサーバ１の制御部１１０は、当該ドック装置４宛ての離脱完了通知を形成し、これを当該ドック装置４に提供する（ステップＳ１９）。
【０１２３】
ドック装置４の制御部４３０は、ＳＩＰサーバ１からの離脱完了通知を受信すると、接続端末登録メモリ４２１において、最新に自機に接続されていた携帯電話端末５に関する情報の接続状況の欄を、未接続を示す情報に更新する（ステップＳ２０）。これにより、ドック装置４に接続されていた携帯電話端末５をＳＩＰサーバ１の配下の電話端末とするための情報は、ＳＩＰサーバ１、ドック装置４から消去するようにされ、当該携帯電話端末５の当該電話システムからの離脱が完了する。
【０１２４】
［ドック装置４から携帯電話端末５への識別用情報の復帰処理］
ところで、図８を用いて説明したように、ドック装置４に接続された携帯電話端末５がドック装置４から切り離される場合に、識別用情報の返却を受けないと、携帯電話網を通じて通信を行うことが可能な携帯電話端末に復帰することができない。そこで、識別用情報の返却を受けなかった携帯電話端末５が、ドック装置４から識別用情報の返却を受けるようにする場合の処理について説明する。図９は、識別用情報のドック装置４から携帯電話端末５への復旧処理を説明するためのシーケンス図である。
【０１２５】
自機の識別用情報の返却を受けずにドック装置４から離脱した携帯電話端末５を、携帯電話網を通じて通信を行うことができるようにするために、再度、当該携帯電話端末５が接続されていたドック装置４に対してＵＳＢケーブル８を通じて有線接続する。これにより、図８において示したステップＳ１〜ステップＳ３までの処理が同様に行われることになる。
【０１２６】
ドック装置４に再接続された当該携帯電話端末５は、識別用情報を有していないので、識別用情報をドック装置４に対して提供することはできない。この場合に、携帯電話端末５は、ユーザからの識別用情報要求（識別用情報の変換要求）を行うようにするための操作入力を受け付けるようにする（ステップＳ２１）。
【０１２７】
ステップＳ２１において、識別用情報要求操作を受け付けた携帯電話端末５の制御部５４０は、自機のＭＡＣアドレス（端末識別情報）を含む識別用情報（ＳＩＭカード情報）の返還要求を形成し、これをドック装置４に送信する（ステップＳ２２）。識別用情報の返還要求を受信したドック装置４は、当該返還要求に含まれるＭＡＣアドレスに基づいて、ＩＤ管理メモリ４２５の情報を参照し、ＩＤ管理メモリ４２５に保持している識別用情報は、当該携帯電話端末５から提供されたものか否かの確認処理を行う（ステップＳ２３）。
【０１２８】
ステップＳ２３の確認処理において、ＩＤ管理メモリ４２５に保持している識別用情報は、当該携帯電話端末５から提供されたものであることが確認できたとする。この場合、ドック装置４の制御部４３０は、当該識別用情報を自機に接続された携帯電話端末５に提供（返還）し、ＩＤ管理メモリ４２５から当該識別用情報を消去する処理を行う（ステップＳ２４）。なお、ＩＤ管理メモリ４２５からの当該識別用情報の消去は、携帯電話端末５からの識別用情報の受信応答が来た場合など、確認が取れた場合に消去するようにしてもよい。
【０１２９】
携帯電話端末５は、ドック装置４から識別用情報の提供（返却）を受けると、制御部５４０が、ＳＩＭカード情報メモリ５１０に当該識別用情報を登録する（ステップＳ２５）。この後、ドック装置４と携帯電話端末５とのＵＳＢ接続が解除されると（切り離されると）、携帯電話端末５はドック装置４から切り離されたことを検知する（ステップＳ２６）。同様に、ドック装置４においても、携帯電話端末５が切り離されたことを検知する（ステップＳ２７）。
【０１３０】
そして、当該携帯電話端末５は、メッセージ処理部５１１、内線情報管理部５１２、通話音声変換部５１３の機能を停止させ、ＳＩＭカード情報メモリ５１０の識別用情報を用いた通常の携帯電話端末として動作するように制御される（ステップＳ２８）。これにより、当該携帯電話端末５は、通常の携帯電話端末に復帰し、携帯電話網を通じての通信を行うことができるようにされる。また、ドック装置４は、携帯電話端末５の接続待ち状態に遷移する。
【０１３１】
このように、識別用情報の返却を受けずにドック装置４から離脱した携帯電話端末５は、再度、当該ドック装置４に有線接続して、識別用情報の返却を受けることにより、携帯電話網を通じて通信が可能な通常の携帯電話端末に復帰することができるようにされる。
【０１３２】
なお、図８に示したシーケンス図において、ステップＳ１３及びステップＳ１６の前段に、図９に示したステップＳ２１〜ステップＳ２５の処理を行うようにすることもできる。この場合には、携帯電話端末５は、自機の端末識別情報の返却をドック装置４から受けた後にドック装置４から離脱することができる。したがって、携帯電話端末５は、ドック装置４からの離脱後、即座に携帯電話網を通じて通信を行うことが可能な携帯電話端末に復帰することができる。この場合、図８に示したステップＳ１５の状態に代わり、図９においてステップＳ２８の状態となり、ドック装置４からの離脱後即座に携帯電話端末５は携帯電話網を通じて通信が可能な通常の携帯電話端末に復帰することができるようにされる。
【０１３３】
［携帯電話端末５の電話システムへの接続から離脱までの処理２］
図８を用いて説明した処理の場合、識別用情報をドック装置４から携帯電話端末５に返却しない状態で、携帯電話端末５をドック装置４から離脱させることができる。このため、携帯電話端末５がドック装置４から離脱後において、通常の携帯電話端末として機能するためには、図９を用いて説明したように、識別用情報の返却処理が必要になる。そこで、識別用情報は、あくまでも携帯電話端末５側で管理することによって、ドック装置４から携帯電話端末５への識別用情報の返却を不要にしたものが、図１０を用いて以下に説明する処理である。
【０１３４】
図１０は、この第１の実施の形態の電話システムにおける携帯電話端末５の電話システムへの接続から離脱までの処理の変形例（携帯電話端末５の電話システムへの接続から離脱までの処理２）について説明するためのシーケンス図である。図８と図１０とを比較すると分かるように、ステップＳ３Ａ〜ステップＳ６Ａの処理と、ステップＳ１５Ａの処理とが異なる点を除けば、それ以外の処理は同様に行われる。このため、図１０に示した処理において、図８に示した処理と同様に行われる部分には、同じ参照符号（ステップ番号）を付し、その部分の詳細な説明は重複するので省略する。
【０１３５】
図１０に示した処理の場合、携帯電話端末５でのステップＳ１の処理、及びドック装置４でのステップＳ２の処理の後、ドック装置４は、携帯電話端末５に対して端末情報（端末ＩＤ）の提供を要求する（ステップＳ３Ａ）。端末情報は、携帯電話端末５を一意に特定可能な情報であり、この第１の実施の形態においては携帯電話端末５のＭＡＣアドレスである。
【０１３６】
携帯電話端末５の制御部５４０は、ドック装置４からの端末情報の提供要求を受信すると、ＲＯＭ５４２からＭＡＣアドレスを読み出し、これをドック装置４に提供する（ステップＳ４Ａ）。ドック装置４の制御部４３０は、携帯電話端末５からの端末情報（ＭＡＣアドレス）に基づいて、接続端末登録メモリ４２１を参照し、当該携帯電話端末５は自機に接続可能なものか否かを判別する。そして、接続可能なものであれば接続端末登録メモリ４２１の更新処理を行う（ステップＳ５Ａ）。このステップＳ５Ａの処理は、制御部４３０が、接続端末登録メモリ４２１の対応する携帯電話端末の情報の接続状況の欄に当該携帯電話端末５が「接続中」であることを示す情報を更新するものである。
【０１３７】
また、携帯電話端末５においては、制御部５４０が、ＳＩＭカード情報メモリ５１０に記憶していた識別用情報（ＳＩＭカード情報）の使用を禁止するようにする（ステップＳ６Ａ）。このステップＳ６Ａの処理は、種々の方法を用いて行うことができる。例えば、制御部５４０は、ＳＩＭカード情報メモリ５１０の識別用情報を、ＥＥＰＲＯＭ５４４などの別のメモリに移動させ、ＳＩＭカード情報メモリ５１０からは削除することにより、当該識別用情報の使用を禁止することができる。
【０１３８】
また、ＳＩＭカード情報メモリ５１０に記憶保持されている識別用情報に、使用停止フラグを設け、これをオンにする。そして、携帯電話端末５の制御部５４０において実行されるプログラムでは、使用不可フラグがオンにされた識別用情報の使用をできないようにプログラムを作成しておく。これにより、識別用情報の使用不可フラグがオンにされている間においては、当該識別用情報の使用を停止（禁止）することができる。もちろん、この他にも、識別用情報を携帯電話端末５から消去することなく、使用を禁止し、必要に応じて使用を再開できる種々の方法を用いることが可能である。
【０１３９】
この後、ドック装置４、ＳＩＰサーバ１、携帯電話端末５では、図１０において、ステップＳ７〜ステップＳ１２の各処理が順次に行われる。これにより、携帯電話端末５は、ドック装置４を通じてＳＩＰサーバ１に接続され、ＳＩＰサーバ１の配下の電話端末として機能することができるようにされる。
【０１４０】
そして、ドック装置４に接続された携帯電話端末５が、外部に持ち出すようにされたとする。すなわち、ドック装置４と携帯電話端末５とを接続していたＵＳＢケーブル８が取り外されたとする。この場合、携帯電話端末５においては、図８を用いて説明した場合と同様に、ステップＳ１３、ステップＳ１４の処理が行われ、最後に、上述したようにステップＳ６Ａにおいて使用を停止させていた識別用情報の使用を再開させる（ステップＳ１５Ａ）。
【０１４１】
このステップＳ１５Ａの処理は、上述したように、ＳＩＭカード情報メモリ５１０の識別情報を他のメモリに移動させることにより使用を禁止していた場合には、当該識別情報をＳＩＭカード情報メモリ５１０に戻す処理となる。また、ＳＩＭカード情報メモリ５１０の識別用情報に使用停止フラグを設け、これをオンにすることにより、当該識別用情報の使用を停止するようにしている場合には、当該識別用情報の使用停止フラグをオフにする処理となる。
【０１４２】
なお、ドック装置４におけるステップＳ１６、ステップＳ１７、ステップＳ２０の処理と、ＳＩＰサーバ１におけるステップＳ１８、ステップＳ１９の処理は、図８に示した対応する処理と同様に行われる。
【０１４３】
このように、この図１０を用いて説明した処理の場合には、ＳＩＭカードの情報である識別用情報は、あくまでも携帯電話端末５側で管理され、ドック装置４側で管理されることはない。これにより、ドック装置４を通じてＳＩＰサーバ１の配下の電話端末となった携帯電話端末５が、当該ドック装置４から切り離されても、ドック装置４と関わりなく、独自に携帯電話網を通じた通信が可能な元の携帯電話端末に復帰することができる。すなわち、図８を用いて説明した処理の場合のように、識別用情報を持たない状態の携帯電話端末となることがないようにされる。
【０１４４】
［第１の実施の形態の効果］
このように、この第１の実施の形態の電話システムの場合には、ドック装置４に対して携帯電話端末５を有線接続することにより、携帯電話端末５をＳＩＰサーバ１の配下の電話端末（内線電話端末）として機能させることができる。そして、ドック装置４に接続された携帯電話端末５においては、自機の識別用情報（ＳＩＭカード情報）を使用できないようにするので、ドック装置４への接続中においては、携帯電話網を通じて通信ができないようにされ、ＳＩＰサーバ１の配下の電話端末としてのみ機能することができるようにされる。
【０１４５】
したがって、携帯電話端末５をＳＩＰサーバ１の配下の内線電話端末として利用可能な電話システムを簡単かつ適切に構成することができる。また、ＳＩＰサーバ１においても、当該携帯電話端末５を適切に管理することができるようにされる。すなわち、どの携帯電話端末５がＳＩＰサーバ１の配下の電話端末となっているかを確実に管理することが出来るようにされる。したがって、ＳＩＰサーバ１の配下から離脱した携帯電話端末５を、いつまでも自機の配下の電話端末として管理するなどといった不都合も生じさない。
【０１４６】
［第２の実施の形態］
［第２の実施の形態の電話システムの概要］
図１１は、第２の実施の形態の電話システムの概要を説明するための図である。図１１において、図１を用いて上述した第１の実施の形態の電話システムと同様に構成される部分には、同じ参照符号を付し、その部分の詳細な説明は重複するので省略する。そして、図１１に示すように、この第２に実施の形態の電話システムにおいては、ドック装置４Ａ（１）、４Ａ（２）、…のそれぞれに対して、携帯電話端末５Ａ（１）、５Ａ（２）、…が対応して無線接続される点が、上述した第１の実施の形態の電話システムとは異なる。
【０１４７】
図１１に示すように、ドック装置４Ａ（１）、４Ａ（２）、…のそれぞれは、上述した第１の実施の形態のドック装置４の場合と同様に、端末登録データが予め設定されているものである。そして、この第２の実施の形態の電話システムにおいても、ドック装置４Ａ（１）、４Ａ（２）、…を通じて、携帯電話端末５Ａ（１）、５Ａ（２）、…が、ＳＩＰサーバ１の配下の電話端末として機能することができるようにしている。
【０１４８】
なお、この第２の実施の形態において、ドック装置４Ａ（１）、４Ａ（２）、…のそれぞれは、基本的に同様に構成されるものである。このため、以下においては特に区別して示す場合を除き、ＬＡＮ２に接続されるドック装置４Ａ（１）、４Ａ（２）、…を総称して、ドック装置４Ａという。また、携帯電話端末５Ａ（１）、５Ａ（２）、…のそれぞれもまた、その基本的な構成は同様のものである。このため、以下においては特に区別して示す場合を除き、携帯電話端末５Ａ（１）、５Ａ（２）、…を総称して、携帯電話端末５Ａという。
【０１４９】
また、この第２の実施の形態において、ドック装置４Ａ（１）、４Ａ（２）、…のそれぞれと、対応する携帯電話端末５Ａ（１）、５Ａ（２）、…とは、例えば、ＩＥＥＥ８０２．１１ａ、同８０２．１１ｂ／ｇ規格、あるいは、その後継規格の無線ＬＡＮによって接続可能にされている。以下に、第１の実施の形態の電話システムとは異なる部分である、ドック装置４Ａと携帯電話端末５Ａについて具体的に説明する。
【０１５０】
［ドック装置４Ａの構成例］
まず、第２の実施の形態の電話システムで用いられるドック装置４Ａの構成について説明する。図１２は、第２の実施の形態の電話システムのドック装置４Ａの構成例を説明するためのブロック図である。図１２において、図４を用いて説明した第１の実施の形態のドック装置４と同様に構成される部分には同じ参照符号を付し、その部分の説明については重複するので省略する。
【０１５１】
そして、図１２と図４とを比較すると分かるように、この第２の実施の形態のドック装置４Ａは、無線ＬＡＮ用の送受信アンテナ４５１と、無線ＬＡＮインターフェース（以下、無線ＬＡＮＩ／Ｆと略称する。）４５２とを備えている。この点が、第１の実施の形態のドック装置４と大きく異なる点である。
【０１５２】
送受信アンテナ４５１は、無線ＬＡＮへの接続端部を構成する。無線ＬＡＮＩ／Ｆ４５２は、送受信アンテナ４５１を通じて受信したデータを自機において処理可能な形式のデータに変換し、これを制御部４３０に供給する。また、無線ＬＡＮＩ／Ｆ４５２は、制御部４３０を通じて供給される無線ＬＡＮを通じて送信すべきデータを、無線ＬＡＮに送出する形式のデータに変換し、これを送受信アンテナ４５１を通じて無線ＬＡＮに送出し、目的とする相手先に送信するようにする。これら送受信アンテナ４５１と無線ＬＡＮＩ／Ｆ４５２とにより、後述する携帯電話端末５Ａとの無線接続を可能にしている。
【０１５３】
なお、この第２の実施の形態のドック装置４Ａは、有線ＬＡＮ２を通じて接続されるＳＩＰサーバ１と、無線ＬＡＮを通じて接続される携帯電話端末５Ａとの間で送受される種々のデータを中継する。この場合、ＳＩＰサーバ１とドック装置４Ａとの間と、ドック装置４Ａと携帯電話端末５Ａとの間とは、いずれもＬＡＮにより接続され、パケット化されたデータが送受される。このため、この第２の実施の形態のドック装置４Ａの場合には、パケット分解やパケット生成などを行って、相手先に送信するデータを形成する必要はないので、第１の実施の形態のドック装置４が備えていた送受信信号処理部４２４は備えない構成となっている。
【０１５４】
また、この第２の実施の形態のドック装置４Ａの場合には、充電端子４４１、接続検出部４４２、充電電流供給部４４３、ＡＣコンセント４４４を備え、充電端子に接続された携帯電話端末５Ａに対して充電を行う機能をも備えている。これは、ドック装置４Ａと後述する携帯電話端末５Ａとの間におけるデータの送受は無線ＬＡＮを通じて行われるので、データの送受とは別個に充電だけを行える構成を有するようにしたものである。
【０１５５】
［携帯電話端末５Ａの構成例］
次に、この第２の実施の形態の電話システムで用いられる携帯電話端末５Ａの構成について説明する。図１３は、この第２の実施の形態の電話システムの携帯電話端末５Ａの構成例を説明するためのブロック図である。図１３において、図７を用いて説明した第１の実施の形態の携帯電話端末５と同様に構成される部分には同じ参照符号を付し、その部分の説明については重複するので省略する。
【０１５６】
そして、図１３と図７とを比較すると分かるように、この第２の実施の形態の携帯電話端末５Ａは、無線ＬＡＮ用の送受信アンテナ５６１と、無線ＬＡＮ通信部５６２とを備えている。この点が、第１の実施の形態の携帯電話端末５と大きく異なる点である。
【０１５７】
送受信アンテナ５６１は、無線ＬＡＮへの接続端部を構成する。無線ＬＡＮ通信部５６２は、送受信アンテナ５６１を通じて受信したデータを自機において処理可能な形式のデータに変換し、これを制御部５４０に供給する。また、無線ＬＡＮ通信部５６２は、制御部５４０を通じて供給される無線ＬＡＮを通じて送信すべきデータを、無線ＬＡＮに送出する形式のデータに変換し、これを送受信アンテナ５６１を通じて無線ＬＡＮに送出し、目的とする相手先に送信するようにする。これら送受信アンテナ５６１と無線ＬＡＮ通信部５６２とにより、上述したドック装置４Ａとの無線接続を可能にしている。
【０１５８】
そして、この第２の実施の形態の携帯電話端末５Ａにおいては、送受信アンテナ５６１及び無線ＬＡＮ通信部５６２を通じて、ドック装置４Ａと無線接続されている場合には、詳しくは後述もするが携帯電話網を通じての通信機能は停止される。そして、ＳＩＰサーバ１の配下の電話端末として、送受信アンテナ５６１及び無線ＬＡＮ通信部５６２を通じた通話ができるようにされる。
【０１５９】
この場合、送受信アンテナ５６１、無線ＬＡＮ通信部５６２を通じて受信したデータは、制御部５４０を通じて送受信信号処理部５０３に供給され、ここで制御信号（制御メッセージ）や通話信号がデコードされる。そして、デコードされた制御信号は制御部５４０に供給されて自機の制御等に使用され、デコードされた通話信号は制御部５４０を通じて通話音声処理部５０４に供給されて、受話アンプ５０５を通じて受話器５０６に供給されて放音される。
【０１６０】
また、送話器５０７により集音されたユーザの音声は、送話アンプ５０８を通じて通話音声処理部５０４に供給され、アナログ音声信号をデジタル音声信号に変換する。ここで変換されたデジタル音声信号は、制御部５４０を通じて送受信信号処理部５０３に供給され、ここで送信用信号（パケットデータ）に変換される。この送信用信号が、制御部５４０を通じて、無線ＬＡＮ通信部５６２に供給され、ここで無線ＬＡＮに送出する信号に変換されて、送受信アンテナ５６１を通じて無線ＬＡＮに送出され、ドック装置４Ａに送信される。
【０１６１】
なお、この第２の実施の形態の携帯電話端末５Ａからドック装置４Ａに送信する種々の制御信号等についても、制御部５４０→送受信信号処理部５０３→制御部５４０→無線ＬＡＮ通信部５６２の順に処理されて、ドック装置４Ａに送信される。
【０１６２】
このように、この第２の実施の形態の携帯電話端末５Ａにおいては、無線ＬＡＮ用の送受信アンテナ５６１及び無線ＬＡＮ通信部５６２を通じて送受する信号については、制御部５４０、送受信信号処理部５０３、通話音声処理部５０４を通じて処理することができるようにしている。このため、第１の実施の形態の携帯電話端末５が備えていたメッセージ処理部５１１、通話音声変換部５１３は備えない構成となっている。
【０１６３】
また、この第２の実施の形態の携帯電話端末５Ａの場合には、充電端子５５１、接続検出部５５２、充電回路５５３、バッテリ５５４を備え、充電端子５５１を通じてドック装置４Ａから充電電流の供給を受けて、バッテリ５５４に充電を行う機能をも備えている。これは、ドック装置４Ａの場合と同様に、携帯電話端末５Ａとドック装置４Ａとの間におけるデータの送受は無線ＬＡＮを通じて行われるので、データの送受とは別個に充電だけを行える構成を有するようにしたものである。
【０１６４】
［携帯電話端末５Ａの電話システムへの接続から離脱までの処理１］
図１４は、この第２の実施の形態の電話システムにおける携帯電話端末５Ａの電話システムへの接続から離脱までの処理について説明するためのシーケンス図である。図１４において、図８に示した第１の実施の形態の携帯電話端末５の電話システムへの接続から離脱までの処理１と同様に行われる処理には同じ参照符号（ステップ番号）を付し、その部分の説明は重複するので省略する。
【０１６５】
そして、図１４と図８とを比較すると分かるように、図１４におけるステップＳ３１〜ステップＳ３４までの処理と、ステップＳ４１、ステップＳ４２の処理が、第１の実施の形態の電話システムにおける処理とは異なっている。これは、この第２の実施の形態の電話システムの場合には、ドック装置４Ａと携帯電話端末５Ａとは無線接続されることによる。
【０１６６】
すなわち、ステップＳ３１、ステップＳ３２においては、携帯電話端末５Ａとドック装置４Ａとが、無線によるコネクション処理（所定の無線ＬＡＮ接続シーケンス）を行うことにより、無線接続を行うようにする。具体的には、ドック装置４Ａから定期的に送出されるビーコン信号を携帯電話端末５Ａがサーチするようにし、検出できた場合に携帯電話端末５Ａがドック装置４Ａに接続の許可を要求するようにする。
【０１６７】
ドック装置４Ａは、携帯電話端末５Ａが接続可能なものである場合には、無線接続を許可を示す応答を携帯電話端末５Ａに送信する（ステップＳ３３）。これにより、携帯電話端末５Ａが、ドック装置４Ａに対して無線接続され、この第２の実施の形態の電話システムの実質的に圏内の機器となる（ステップＳ３４）。この後、図８を用いて説明したように、ステップＳ３〜ステップＳ１２の処理により、携帯電話端末５Ａが、ドック装置４Ａを通じてＳＩＰサーバ１の配下の電話端末となるようにされる。
【０１６８】
この後、携帯電話端末５Ａが持ち出されるようにされたとする。この場合、携帯電話端末５Ａは、ドック装置４Ａとの間で無線ＬＡＮを通じての通信ができなくなる。携帯電話端末５Ａは、ドック装置４Ａからのビーコン信号等を受信できなくなることにより、自機がドック装置４Ａから離脱したことを検知することができる（ステップＳ４１）。この場合に、ステップＳ４１において、携帯電話端末５Ａは、内線電話状態を解除し、元の携帯電話端末としてフックするようにする。
【０１６９】
すなわち、ステップＳ４１において、携帯電話端末５Ａの制御部５４０は、無線ＬＡＮ通信部５６２を制御して、ドック装置４Ａのビーコン信号のサーチ処理に戻るようにすると共に、電話通信部５０２を通じての通信を行えるようにする。この場合、図８を用いて説明したように、携帯電話端末５Ａは、自機の識別用情報をドック装置４Ａに提供した後に消去したまま、その返却を受けていないので、識別用情報がなしの状態となる。すなわち、携帯電話端末５は、ＳＩＰサーバ１の配下から離脱したが、携帯電話端末として携帯電話網を通じた通信ができない状態となる。
【０１７０】
一方、ドック装置４Ａにおいても、無線接続されていた携帯電話端末５Ａと無線通信できない状態となるので、当該状態が一定時間継続することにより、携帯電話端末５Ａが離脱したと検知し、携帯電話端末５ＡのＳＩＰサーバ１の配下からの離脱処理を開始させる（ステップＳ４２）。
【０１７１】
このように、この図１４に示し処理は、ドック装置４Ａと携帯電話端末５Ａとが無線接続される点を除き、図８に示した第１の実施の形態の電話システムの処理と同様の処理が行われることになる。
【０１７２】
［ドック装置４Ａから携帯電話端末５Ａへの識別用情報の復帰処理］
そして、この第２の実施の形態の電話システムにおいて、携帯電話端末５Ａが、携帯電話網を通じて通信が可能な携帯電話端末に復帰ためには、図１５の識別用情報の復帰処理を行うようにする。図１５は、この第２の実施の形態の電話システムにおけるドック装置４Ａから携帯電話端末５Ａへの識別用情報の復帰処理を説明するためのシーケンス図である。
【０１７３】
図１５において、ステップＳ３１〜ステップＳ３４の処理は、図１４を用いて説明したステップＳ３１〜ステップＳ３４の処理と同様に行われる。すなわち、携帯電話端末５Ａを、再度、ドック装置４Ａと無線可能なエリアに位置させ、ドック装置４Ａと携帯電話端末５Ａとの間を無線接続する。この後、図９を用いて説明したステップＳ２１〜ステップＳ２５の処理を実行することにより、携帯電話端末５Ａからドック装置４Ａに提供した識別用情報の返却を受ける。
【０１７４】
この後、図１４を用いて説明したステップＳ４１、ステップＳ４２の処理を実行する。すなわち、携帯電話端末５Ａをドック装置４Ａの圏外に持ち出すことによって、無線接続を解除する。この後、携帯電話端末５Ａは、無線ＬＡＮ通信部５６２をビーコン信号のサーチ処理を行うように制御し、電話通信部５０２を通じて通信を行うように制御することにより、携帯電話網を通じて通信が可能な携帯電話端末に復帰する（ステップＳ４３）。
【０１７５】
このように、この第２の実施の形態の電話システムにおいても、図１５に示したドック装置４Ａから携帯電話端末５Ａへの識別用情報の復帰処理を行うことにより、携帯電話端末５は携帯電話網を通じて通信が可能な携帯電話端末に復帰することができる。
【０１７６】
なお、この第２の実施の形態の電話システムにおいても、図１４に示したシーケンス図において、ステップＳ４１及びステップＳ４２の前段に、図１５に示したステップＳ２１〜ステップＳ２５の処理を行うようにすることもできる。この場合には、携帯電話端末５Ａは、自機の端末識別情報の返却をドック装置４Ａから受けた後にドック装置４Ａから離脱することができる。したがって、携帯電話端末５Ａは、ドック装置４Ａからの離脱後、即座に携帯電話網を通じて通信を行うことが可能な携帯電話端末に復帰することができる。この場合、図１４に示したステップＳ１５の状態に代わり、図１５においてステップＳ４３の状態となり、ドック装置４からの離脱後即座に携帯電話端末５Ａは通常の携帯電話端末に復帰することができるようにされる。
【０１７７】
［携帯電話端末５Ａの電話システムへの接続から離脱までの処理２］
そして、この第２の実施の形態の電話システムの場合にも、第１の実施の形態の電話システムの場合と同様に、識別用情報は、飽くまでも携帯電話端末５Ａ側で管理することによって、ドック装置４Ａから携帯電話端末５への識別用情報の返却を不要にすることもできる。図１６は、この第２の実施の形態の電話システムにおいて、ドック装置４Ａから携帯電話端末５への識別用情報の返却を不要にした携帯電話端末５Ａの電話システムへの接続から離脱までの処理２を説明するためのシーケンス図である。
【０１７８】
図１６に示したシーケンス図において、ステップＳ３１〜ステップＳ３４までの処理は、図１４を用いて説明したステップＳ３１〜ステップＳ３４までの処理と同様に行われる。すなわち、携帯電話端末５Ａとドック装置４Ａとが相互に無線通信を行って、無線接続を確立する処理が行われる。この後に行われるステップＳ３Ａ〜ステップＳ６Ａまでの処理は、図１０を用いて説明したステップＳ３Ａ〜ステップＳ６Ａまでの処理と同様に行われる。すなわち、携帯電話端末５Ａからドック装置４Ａへは、識別用情報は提供することなく、端末情報（携帯電話端末５ＡのＭＡＣアドレス）だけを提供し、ドック装置４Ａにおいて、自機に無線接続された携帯電話端末５Ａを認識し、管理できるようにする。
【０１７９】
そして、図１６に示したステップＳ７〜ステップＳ１２までの処理は、図８、図９、図１４に示したステップＳ７〜ステップＳ１２までの処理と同様に行われる処理である。すなわち、ドック装置４Ａが、ＳＩＰサーバ１と携帯電話端末５Ａとに内線登録データ（内線情報）を提供して登録することにより、携帯電話端末５ＡをＳＩＰサーバ１の配下の電話端末端末として機能できるようにする。
【０１８０】
このようにして、この第２の実施の形態の携帯電話端末５Ａは、識別用情報を自機に保持したまま、ドック装置４Ａを通じて、自機をＳＩＰサーバ１の配下の電話端末として登録するようにされる。そして、携帯電話端末５Ａは、ドック装置４Ａを通じて、ＳＩＰサーバ１の配下の電話端末として機能することができるようにされる。
【０１８１】
この後、携帯電話端末５Ａが持ち出され、この電話システムから離脱するようにされたとする。この場合、ステップＳ４１、ステップＳ４２の処理は、図１４を用いて説明したステップＳ４１、ステップＳ４２の処理と同様に行われる。すなわち、携帯電話端末５Ａにおいては、無線接続されたドック装置４Ａからの離脱を検知すると、自機の内線電話状態を解除するようにする。また、ドック装置４Ａにおいては、無線接続された携帯電話端末５Ａの離脱を検知すると、携帯電話端末５ＡをＳＩＰサーバ１の配下から離脱させる処理を開始させる。
【０１８２】
そして、携帯電話端末５Ａでは、ステップＳ４１の処理の後、ステップＳ１５Ａの処理を実行する。当該ステップＳ１５Ａの処理は、図１０に示したステップＳ１５Ａの処理と同様の処理であり、自機において使用を停止（禁止）していた識別用情報の使用を再開するようにし、携帯電話網を通じての通信を行えるようにする。すなわち、携帯電話端末５Ａは、携帯電話網を通じて通信を行う通常の携帯電話端末に復帰する。
【０１８３】
また、図１６において、ステップＳ１８〜ステップＳ２０までの処理は、図８、図１０、図１４に示したステップＳ１８〜ステップＳ２０までの処理と同様に行われる処理であり、ＳＩＰサーバ１の配下から携帯電話端末５Ａを離脱させる処理が行われることになる。
【０１８４】
このように、この第２の実施の形態の電話システムの場合にも、携帯電話端末５Ａ側において、識別用情報を保持、管理するようにする。そして、携帯電話端末５Ａは、無線接続されたドック装置４Ａからの離脱後即座に、携帯電話端末５Ａが単独で携帯電話網を通じて通信が可能な通常の携帯電話端末に復帰することができるようにされる。
【０１８５】
［第２の実施の形態の効果］
このように、この第２の実施の形態の電話システムの場合には、ドック装置４Ａに対して携帯電話端末５Ａを無線接続することにより、携帯電話端末５ＡをＳＩＰサーバ１の配下の電話端末（内線電話端末）として機能させることができる。そして、上述した第１の実施の形態の電話システムの場合の効果と同様の効果を奏することができる。
【０１８６】
［第３の実施の形態］
図１７は、第３の実施の形態の電話システムの概要を説明するための図である。図１７において、図１、図１１を用いて上述した第１、第２の実施の形態の電話システムと同様に構成される部分には、同じ参照符号を付し、その部分の詳細な説明は重複するので省略する。
【０１８７】
なお、図１７に示すように、この第３の実施の形態の電話システムは、第１の実施の形態の場合と同様に、有線接続されるドック装置４と携帯電話端末５とを用いて構成することができる。また、第３の実施の形態の電話システムは、第２の実施の形態の場合と同様に、無線接続されるドック装置４Ａと携帯電話端末５Ａとを用いて構成することもできる。さらに、第３の実施の形態の電話システムは、有線接続されるドック装置４と携帯電話端末５と、無線接続されるドック装置４Ａと携帯電話端末５Ａとを混在させて構成することも可能である。
【０１８８】
そして、図１７に示すように、ドック装置４、４Ａには、上述した第１、第２の実施の形態のドック装置４、４Ａの場合と同様に、端末登録データが予め設定されている。そして、この第３の実施の形態の電話システムにおいても、ドック装置４、４Ａを通じて、携帯電話端末５、５Ａが、ＳＩＰサーバ１の配下の電話端末として機能することができるようにしている。
【０１８９】
さらに、この第３の実施の形態の電話システムの場合には、ＬＡＮ２に接続された管理サーバ９を新たに設け、この管理サーバ９において、複数の識別用情報（ＳＩＭカード情報）を一元管理するようにしている。すなわち、上述した第１、第２の実施の形態においては、携帯電話端末５、５Ａが接続されたドック装置４、４ＡのＩＤ管理メモリ４２５において管理するようにしていた識別用情報を、管理サーバ９において管理する。この場合、管理サーバ９は、ドック装置４、４Ａを通じてＳＩＰサーバ１の配下の電話端末となる全ての携帯電話端末５、５Ａの識別用情報を管理し、携帯電話端末５、５Ａが識別用情報の交換を行うこともできるようにしている。
【０１９０】
つまり、各携帯電話会社（携帯電話サービスを提供する事業者）や携帯電話端末メーカーにおいては、携帯電話端末側のいわゆるＳＩＭロックを解除し、１つの携帯電話端末において、種々のＳＩＭカードの利用をできるようにすることが検討されている。このような背景の下、この第３の実施の形態の電話システムにおいては、ドック装置４、４Ａに接続された携帯電話端末５、５Ａが、ドック装置４、４Ａから離脱する場合に、目的とする携帯電話会社の識別用情報の提供を受けることができるようにしている。
【０１９１】
このようにすることによって、例えば、出張などで地方に行く場合に、当該地方においてより携帯電話網が整備された携帯電話会社の識別用情報を用いるようにし、出張先においてより良好に携帯電話端末を通じた通信を行えるようにすることができる。また、携帯電話端末を通じて通信を行うことが多い相手先が利用している携帯電話会社の識別用情報を用いるようにすることによって、通信コストを安価にするサービスの提供を受けるようにするなどのことができるようにされる。
【０１９２】
なお、以下においては、説明を簡単にするため、第１の実施の形態の電話システムの場合と同様に、有線接続されるドック装置４と携帯電話端末５とを用いて電話システムを構成した場合を例にして説明する。このため、必要に応じて、図４、図７の各装置のブロック図をも参照しながらこの第３の実施の形態の電話システムについて説明する。
【０１９３】
［管理サーバ９の構成例］
この第３の実施の形態の電話システムで用いられる管理サーバ９の構成について説明する。図１８は、この第３の実施の形態の管理サーバ９の構成例を示すブロック図である。この例の管理サーバ９は、マイクロコンピュータを搭載して構成されており、システムバス９００に対して、ＣＰＵ９０１、ＲＯＭ９０２、ＲＡＭ９０３、ＬＡＮ用インターフェース（以下、ＬＡＮ用Ｉ／Ｆと略称する。）９０５、ＬＡＮ用接続端子９０６、ＬＡＮ用送受信部９０７、カードインターフェース（以下、カードＩ／Ｆと略称する。）９０８１〜９０８ｎ、カード管理テーブルメモリ９０９、端末管理テーブルメモリ９１０、表示情報生成部９１１、のそれぞれが接続されている。
【０１９４】
ＣＰＵ９０１は、ＲＯＭ９０２に記憶されているプログラムに従って、ＲＡＭ９０３をワークエリアとして用いることにより、以下に説明するような管理サーバ９が実行する種々の処理を、ソフトウエア処理として実行する。すなわち、ＣＰＵ９０１、ＲＯＭ９０２、ＲＡＭ９０３がマイクロコンピュータを構成し、この管理サーバ９の制御部として機能するようにされている。
【０１９５】
ＬＡＮ用送受信部９０７は、ＣＰＵ９０１の制御の下、ＬＡＮ用Ｉ／Ｆ９０５を通じて受信したデータをデコードおよび解析して、システムバス９００に送出すると共に、ＬＡＮ２に送出すべき送信データを生成し、ＬＡＮ用Ｉ／Ｆ９０５に渡すようにする。その送信データには、管理サーバの識別情報が含められる。
【０１９６】
カードインターフェース９０８１〜９０８ｎのそれぞれは、管理サーバ９のｎ個のＳＩＭカードの装填が可能なＳＩＭカード装填部内に設けられているカード用コネクタ９１２１〜９１２ｎに接続されている。管理サーバ９のＳＩＭカード装填部にＳＩＭカードが装填されると、ＳＩＭカードの接点端子とカード用コネクタ９１２１〜９１２ｎの接点端子とが電気的に接続され、カードインターフェース９０８１〜９０８ｎのそれぞれを通じて、ＳＩＭカードからＳＩＭカード情報を読み出すことができる。
【０１９７】
カード管理テーブルメモリ９０９には、管理サーバ９のＳＩＭカード装填部に装填されているＳＩＭカードの全てについての管理情報が記録されているカード管理テーブルの情報が記憶されている。カード管理テーブルに記録される管理情報の例を図１９に示す。
【０１９８】
すなわち、図１９の例においては、カード管理テーブルには、ＳＩＭカードの識別情報（カードＩＤ）と、使用状況、使用端末、電話番号、キャリア（携帯電話事業者）、残額、のそれぞれが記録される。
【０１９９】
使用状況の情報としては、そのＳＩＭカードのＳＩＭカード情報が携帯電話端末５に渡されて「使用中」であるか、「未使用」であるか、あるいはＳＩＭカード情報が携帯電話端末５に渡されてはいるが「使用待機」の状態であるか、のいずれかが記録される。
【０２００】
使用端末の情報としては、そのＳＩＭカードのＳＩＭカード情報を使用中または使用待機の状態である携帯電話端末５の識別情報、この例では携帯電話端末のＭＡＣアドレス（図１９では、ＭＡＣ−ＡやＭＡＣ−Ｂと記載。）が記録される。携帯電話端末５の識別情報を、以下、端末ＩＤと称することとする。
【０２０１】
電話番号、キャリア、残額の情報としては、ＳＩＭカード情報に含まれる加入者電話番号、携帯電話事業者、通信料金の決済に関する情報が記録される。残額が「ｃａｒｄ」と記録されているときには、通信料金の決済はクレジットカードによることを意味している。また、残額が「２３００」のように数値で記録されているときには、通信料金の決済はプリペイドによるもので、残額としてその数値分（２３００円）残っていることを意味している。
【０２０２】
端末管理テーブルメモリ９１０には、管理サーバ９に登録された携帯電話端末５の端末情報（ＭＡＣアドレスや製造番号）やその他の携帯電話端末に関する情報からなる管理情報を記録した端末管理テーブルの情報が記憶されている。携帯電話端末５がドック装置４とＵＳＢケーブル８で接続（以下、ＵＳＢ接続という）されると、その携帯電話端末５から端末情報が管理サーバ９に送られ、未登録であれば、管理サーバ９に登録される。端末管理テーブルに記録される管理情報の例を図２０に示す。
【０２０３】
すなわち、図２０の例においては、端末管理テーブルには、携帯電話端末５のＭＡＣアドレス（端末ＩＤ）と、製造番号と、機種コードと、使用可能ＳＩＭカードと、ドック装置４の識別情報（以下、ドックＩＤという）とが管理情報として記録される。
【０２０４】
機種コードおよび使用可能ＳＩＭカードの情報は、管理サーバ９が例えばＳＩＰサーバ１及びＩＰ網６を通じて、Ｗｅｂページから取得する。すなわち、この実施形態では、携帯電話端末の製造会社は、Ｗｅｂページに、自社が製造した携帯電話端末の製造番号やＭＡＣアドレスに対応して、その機種コードと、使用可能なＳＩＭカードの情報とを掲載するものとする。管理サーバ９は、図示は省略するが、各製造会社の前記ＷｅｂページのＵＲＬ（Uniform Resource Locator）を記憶している。
【０２０５】
そして、管理サーバ９は、受信した携帯電話端末５のＭＡＣアドレスに含まれるカンパニーコードから当該携帯電話端末の製造会社を判別する。そして、管理サーバ９は、判別した製造会社のＷｅｂページのＵＲＬを読み出して、ＳＩＰサーバ１及びＩＰ網６を通じて当該Ｗｅｂページにアクセスする。さらに、管理サーバ９は、当該Ｗｅｂページに携帯電話端末５のＭＡＣアドレスと製造番号とを検索子として送り、その検索結果として、当該Ｗｅｂページから、携帯電話端末の機種コードと使用可能なＳＩＭカードの情報とを取得する。そして、取得した携帯電話端末５の機種コードと使用可能なＳＩＭカードの情報とを、端末管理テーブルに登録する。
【０２０６】
また、ドックＩＤは、携帯電話端末５をドック装置４にＵＳＢケーブル８を通じて接続したときに、ドック装置４から提供を受けて端末管理テーブルに記録される。そして、管理サーバ９は、携帯電話端末５とドック装置４とのＵＳＢ接続が解除されたときには、ドック装置４からの通知に応じて、そのドックＩＤの記録を消去する。
【０２０７】
表示情報生成部９１１は、カード管理テーブルメモリ９０９に記憶されているカード管理テーブルの表示用情報（図１９参照）を、カード管理テーブルの管理情報が更新される度に生成する。管理サーバ９は、生成したカード管理テーブルの表示用情報を、ドック装置４にＵＳＢケーブル８を通じて接続されている携帯電話端末５の全てに送信することができるようにしている。
【０２０８】
なお、ＬＡＮ用送受信部９０７と、表示情報生成部９１１は、ＣＰＵ９０１によるソフトウエア処理として構成することもできる。
【０２０９】
［第３の実施の形態の電話システムの処理］
次に、この第３の実施の形態の電話システムにおいて行われる携帯電話端末５の電話システムへの接続から離脱までの処理について説明する。図２１〜図２３に示すシーケンス図は、この第３の実施の形態の電話システムにおいて行われる携帯電話端末５の電話システムへの接続から離脱までの処理を説明するためのシーケンス図である。なお、図２１〜図２３に示すシーケンス図においても、図８に示したシーケンス図の場合と同様に行われる処理には、同じ参照符号（ステップ番号）を付し、その部分の詳細な説明については省略する。
【０２１０】
まず、図２１において、ステップＳ１〜ステップＳ４までの処理は、図８を用いて説明したステップＳ１〜ステップＳ４の処理と同様に行われる処理である。すなわち、ドック装置４に対して携帯電話端末５がＵＳＢ接続され、当該接続が携帯電話端末５とドック装置４とのそれぞれにおいて検出される（ステップＳ１、ステップＳ２）。そして、ドック装置４からの要求に応じて（ステップＳ３）、携帯電話端末５がＳＩＭカード情報メモリ５１０に記憶保持している識別用情報（ＳＩＭカード情報）とＲＯＭ５４２に記憶されているＭＡＣアドレスとを読み出して、ドック装置４に提供する（ステップＳ４）。
【０２１１】
そして、ドック装置４においては、ステップＳ５Ｂの処理により、携帯電話端末５からのＭＡＣアドレスに基づいて、当該携帯電話端末５が自機に接続可能なものか否かを判別する。そして、接続可能なものであると判別したときには、ドック装置４は、接続端末登録メモリ４２１の対応する携帯電話端末に関する情報の接続状態を示す情報を「接続中」を示す情報に更新する（ステップＳ５Ｂ）。なお、ステップＳ５Ｂの処理において接続不能であると判別したときには、その旨が携帯電話端末５に通知され、ステップＳ５Ｂ以降の処理が行わないようにされる。
【０２１２】
一方、携帯電話端末５においては、ステップＳ６の処理により、ＳＩＭカード情報メモリ５１０に記憶されている識別用情報（ＳＩＭカード情報）を消去して、当該識別用情報の使用ができないようにする（ステップＳ６）。
【０２１３】
そして、この第３の実施の形態の電話システムにおいては、ドック装置４に接続された携帯電話端末５の識別用情報（ＳＩＭカード情報）を、管理サーバ９において一括管理する。このため、ドック装置４は、自機にＵＳＢ接続された携帯電話端末５からの識別用情報とＭＡＣアドレスと自機のドックＩＤを含む管理サーバ９宛ての登録要求を形成し、これを管理サーバ９に送信する（ステップＳ５１）。ドック装置４は、形成した当該登録要求をＬＡＮＩ／Ｆ４０２及びＬＡＮ接続端子４０１を通じてＬＡＮ２に送出し、管理サーバ９に送信する。
【０２１４】
管理サーバ９は、ＬＡＮ用接続端子９０６及びＬＡＮ用Ｉ／Ｆ９０５を通じて、ドック装置４を介して送信されてくる携帯電話端末５からの識別用情報の登録要求を受信する。そして、管理サーバ９のＣＰＵ９０１は、当該登録要求に含まれる識別用情報に基づいて、カード管理テーブルメモリ９０９のカード管理テーブルを更新する（ステップＳ５２）。このステップＳ５２においては、識別用情報がドック装置４を通じて管理サーバ９に返却された状態となるので、カード管理テーブルメモリ９０９の該当するカード管理テーブル情報の使用状況の欄が例えば「使用中」から「未使用」示す情報に更新される。また、管理サーバ９においては、端末管理テーブルメモリ９１０の該当する端末管理テーブル情報のドックＩＤも更新される。これにより、管理サーバ９においては、どの識別用情報（ＳＩＭカード情報）が使用可能か、また、どの携帯電話端末５がどのドック装置４を通じて電話システムに接続されているかを把握することができるようにされる。
【０２１５】
この後、ステップＳ７〜ステップＳ１２までの処理が、図８に示したステップＳ７〜ステップＳ１２の処理と同様に行われ、携帯電話端末５が、ドック装置４を通じてＳＩＰサーバ１の配下の電話端末となるようにされる。すなわち、ドック装置４により、当該ドック装置４が保持する内線情報を、ＳＩＰサーバ１と自機に接続された携帯電話端末５とに登録し（ステップＳ７〜ステップＳ１１）、当該携帯電話端末５をＳＩＰサーバ１の配下の電話端末とする（ステップＳ１２）。これにより、ドック装置４に接続された携帯電話端末５は、ＳＩＰサーバ１及びドック装置４を通じて電話通信を行うことができるようにされる。
【０２１６】
そして、ドック装置４に対してＵＳＢ接続されている携帯電話端末５のユーザが、外出するために当該携帯電話端末５を持ち出す必要が生じたとする。この場合、当該ユーザは、図２２の右上端部に示すように、当該携帯電話端末５の操作入力部５２１を通じて識別用情報の要求操作（提供を要求する操作）を行う（ステップＳ５３）。当該要求操作を受け付けた携帯電話端末５の制御部５４０は、識別用情報要求を形成し、これをＵＳＢケーブル８を通じてドック装置４に送信する（ステップＳ５４）。ドック装置４は、携帯電話端末５からの当該識別用情報要求をＬＡＮ２に送出し、管理サーバ９に転送する。
【０２１７】
管理サーバ９は、当該識別用情報要求を受信すると、上述もしたように、表示情報生成部９１１が機能し、カード管理テーブルの表示用情報を形成し、これをドック装置４を介して要求元の当該携帯電話端末５に送信する（ステップＳ５５）。当該携帯電話端末５では、管理サーバ９からのカード管理テーブルの表示用情報を受信すると、制御部５４０及びディスプレイコントローラ５２３が機能し、当該表示用情報をディスプレイ５２４に表示する（ステップＳ５６）。
【０２１８】
ユーザは、ディスプレイ５２４に表示されたカード管理テーブルの表示用情報を確認し、自機に提供を受ける識別用情報の選択操作を携帯電話端末５の操作入力部５２１を通じて入力する（ステップＳ５７）。当該選択操作を受け付けた携帯電話端末５の制御部５４０は、識別用情報の選択情報を形成し、これをＵＳＢケーブル８を通じてドック装置４に送信する（ステップＳ５８）。ドック装置４は、当該携帯電話端末５からの当該選択情報に基づいて、目的とする識別用情報の使用許諾要求を形成し、これをＬＡＮ２に送出し、管理サーバ９に送信する（ステップＳ５９）。
【０２１９】
管理サーバ９のＣＰＵ９０１は、ドック装置４からの識別用情報の使用許諾要求を受信すると、カード管理テーブルメモリ９０９と端末管理テーブルメモリ９１０の情報を確認し、使用許諾が求められた識別用情報が使用許諾できるものか否かを判別する。そして、使用許諾が求められた識別用情報が使用許諾できるものである場合には、使用許諾が求められた識別用情報を、ＬＡＮ２を通じて要求元の携帯電話端末５に対して送信する（ステップＳ６０）。これにより、当該識別用情報がドック装置４を通じて要求元の携帯電話端末５に対して送信（提供）される。
【０２２０】
なお、携帯電話端末５から要求された識別用情報が、当該要求元の携帯電話端末５においては使用できないものであるなど、提供することができないものである場合には、要求された識別用情報の提供が不能であることを通知する処理を行う。具体的には、要求された識別用情報が提供できないことを通知するメッセージを形成し、これを要求元の携帯電話端末５に送信して、別の識別用情報を選択するように促す処理を行うことになる。
【０２２１】
この後、この第３の実施の形態の電話システムの場合、図２３に示す処理に移り、当該選択情報の送信元の携帯電話端末５が、管理サーバ９から提供された識別用情報をＳＩＭカード情報メモリ５１０に書き込む（ステップＳ６１）。そして、当該携帯電話端末５の制御部５４０は、書き込み完了通知を形成し、これを外部Ｉ／Ｆ５３２、外部端子５３１、ＵＳＢケーブル８を通じて管理サーバ９に送信するようにする（ステップＳ６２）。これにより、当該完了通知がドック装置４を通じて上述もしたようにＬＡＮ２に送出され、管理サーバ９に対して送信される。
【０２２２】
書き込み完了通知を受信した管理サーバ９は、当該書き込み完了通知に基づいて、ステップＳ６０において携帯電話端末５に提供した識別用情報についてのカード管理テーブルメモリ９０９の該当データの使用状況欄を、「未使用」から「使用中」に更新する（ステップＳ６３）。
【０２２３】
そして、携帯電話端末５のユーザは、自機とドック装置４とのＵＳＢ接続を切断（解除）する（ステップＳ６４）。これにより、当該携帯電話端末５の制御部５４０は、外部端子５３１及び外部Ｉ／Ｆ５３２を通じてドック装置４と通信できなくなるので、自機がドック装置４から切断されたことを検知することができる。そして、当該携帯電話端末５の制御部５４０は、内線電話状態を解除し、ステップＳ６１においてＳＩＭカード情報メモリ５１０に書き込んだ識別用情報を用いて、携帯電話網を通じて通信を行うことが可能な通常の携帯電話端末に復帰する（ステップＳ６５）。
【０２２４】
同様に、ドック装置４の制御部４３０は、外部端子４１１及び外部Ｉ／Ｆ４１２を通じて携帯電話端末５と通信できなくなるので、自機から携帯電話端末５が切断された（離脱するようにされた）ことを検知することができる（ステップＳ６６）。この場合、ドック装置４の端末登録離脱処理部４２２は、制御部４３０の制御の下、自機が保持する内線登録データやドックＩＤを含む携帯電話端末５の離脱通知を形成し、これをＳＩＰサーバ１と管理サーバ９に対して提供する（ステップＳ６７）。
【０２２５】
これにより、ＳＩＰサーバ１においては、アドレス管理ＤＢ１０６から該当する内線登録データを削除し、当該ドック装置４に接続されていた携帯電話端末５を自機の配下から離脱させる（ステップＳ６８）。そして、ＳＩＰサーバ１は、離脱完了通知をドック装置４に送信する（ステップＳ６９）。
【０２２６】
一方、管理サーバ９においては、ドック装置４からのドックＩＤに基づいて、端末管理テーブルメモリ９１０の該当データのドックＩＤの欄を消去する（ステップＳ７０）。これにより、管理サーバ９において、当該ドックＩＤにより特定されるドック装置４に対して接続されていることが管理されていた携帯電話端末が、ドック装置４から離脱した状態になったことが管理するようにされる。そして、端末管理テーブルメモリ９１０の更新完了通知を形成し、これをドック装置４に提供する（ステップＳ７１）。
【０２２７】
これにより、ＳＩＰサーバ１及び管理サーバ９において、ドック装置４に接続されていた携帯電話端末５がドック装置４から切り離され、当該電話システムから離脱したことが把握される。そして、当該ドック装置４は、携帯電話端末５の接続待ちとなるようにされる。
【０２２８】
なお、この第３の実施の形態においては、ドック装置４と携帯電話端末５とが有線接続される場合を例にして説明したが、これに限るものではない。ドック装置４Ａと携帯電話端末５Ａとが無線接続されるようにした場合にも、同様に処理することができるようにされる。
【０２２９】
［第３の実施の形態の効果］
このように、この第３の実施の形態の電話システムの場合には、管理サーバ９が、ドック装置４に接続可能な携帯電話端末５が使用可能な識別用情報（ＳＩＭカード情報）を複数管理することができるようにされる。そして、携帯電話端末５がドック装置４に接続された場合には、当該携帯電話端末５は当該ドック装置４を通じてＳＩＰサーバ１の配下の電話端末としてのみ機能することができるようにされる。
【０２３０】
そして、当該携帯電話端末５がドック装置４から離脱する場合には、管理サーバ９が管理している複数の識別用情報の中から当該携帯電話端末５のユーザが選択した識別用情報の提供を受けて、携帯電話網を通じて通信が可能な携帯電話端末に復帰することができる。したがって、使用場所や通信の相手先などに応じて、適切な識別用情報（ＳＩＭカード情報）の提供を受けて、これを用いるようにすることができるようにされる。
【０２３１】
また、この第３の実施の形態の電話システムの場合においても、上述した第１、第２の電話システムの場合と同様の効果を奏することができることはいうまでもない。
【０２３２】
［この発明の方法、プログラム］
なお、上述した実施の形態において、図８〜図１０、図１４〜図１６、図２１〜図２３のシーケンス図を用いて説明した電話システムの処理が、この発明による方法が適用されて実現されたものである。また、図８〜図１０、図１４〜図１６、図２１〜図２３のシーケンス図を用いて説明したドック装置４で実行すべき処理を実行するようにするプログラムを形成し、これをドック装置４の制御部４３０で実行するようにドック装置４に搭載することにより、この発明のドック装置を実現することができる。同様に、図８〜図１０、図１４〜図１６、図２１〜図２３のシーケンス図を用いて説明した携帯電話端末５で実行すべき処理を実行するプログラムを形成し、これを携帯電話端末５の制御部５４０で実行するように携帯電話端末５に搭載することにより、この発明の携帯電話端末を実現することができる。
【０２３３】
［実施の形態の装置や回路部と、請求項の装置や手段との対応］
また、上述した実施の形態からも明らかなように、ＳＩＰサーバ１が交換装置としての機能を実現し、ドック装置４がドック装置としての機能を実現し、携帯電話端末５が携帯端末としての機能を実現している。
【０２３４】
そして、ドック装置４のＬＡＮ接続端子４０１が第１の接続端部としての機能を実現し、外部端子４１１が第２の接続端部としての機能を実現している。また、ドック装置４のＥＥＰＲＯＭ４３４が内線情報記憶手段としての機能を実現し、ドック装置４の端末登録離脱処理部４２２が端末登録処理手段としての機能を実現している。また、ドック装置４の内線情報提供処理部４２３が、内線情報提供手段としての機能を実現し、送受信信号処理部４２４が信号処理手段としての機能を実現している。また、制御部４３０が外部Ｉ／Ｆ４１２と協働して受付手段としての機能を実現し、ドック装置４のＩＤ管理メモリ４２５が携帯電話端末識別用情報記憶手段としての機能を実現し、ドック装置４の主に端末登録離脱処理部４２２が携帯電話端末識別用情報提供手段としての機能を実現している。
【０２３５】
また、携帯電話端末５の外部端子５３１が外部装置用接続端部としての機能を実現し、主に制御部５４０が、制御手段、使用禁止手段、使用再開手段、識別用情報提供手段、識別用情報消去手段としての機能を実現している。また、携帯電話端末５の内線情報管理部５１２が内線情報管理手段としての機能を実現し、ＳＩＭカード情報メモリ５１０が識別用情報記憶手段としての機能を実現している。
【０２３６】
［その他］
また、上述した実施の形態においては、ＩＰ電話システムにこの発明を適用した場合を例にして説明したが、これに限るものではない。ＳＩＰサーバ１の代わりに主装置を用いて構成するボタン電話システムにもこの発明を適用することができる。
【０２３７】
また、上述した実施の形態においては、ドック装置４Ａと携帯電話端末５Ａとは無線ＬＡＮにより接続する場合を例にして説明したが、これに限るものではない。ドック装置と携帯電話端末とは、例えば、ブルートゥース（Bluetooth）規格などの種々の近距離無線通信インターフェースやＩｒＤＡ（Infrared Data Association）規格の赤外線による光無線データ通信インターフェースなどにより接続することも可能である。
【０２３８】
また、携帯電話端末５としては、従来の携帯電話端末の他、スマートホンなどと呼ばれる高機能携帯電話端末を用いることもできる。すなわち、携帯電話網を通じて通信を行うことが可能な機能を備えた種々の通信機器を、上述した実施の形態の携帯電話端末５として利用することができる。
【０２３９】
また、携帯電話端末５の操作入力部５２１は、表示画面に表示される表示情報と当該表示画面に貼付されるタッチパネルとにより実現されるいわゆるソフトウェアキーボードの構成とされる場合もある。
【符号の説明】
【０２４０】
１…ＳＩＰサーバ、１０１…ＩＰ網への接続端子、１０２…ＩＰ網Ｉ／Ｆ、１０３…パケット分解／生成部、１０４…電話網Ｉ／Ｆ、１０５…電話網への接続端子、１０６…アドレス管理ＤＢ、１０７…ＬＡＮＩ／Ｆ、１０８…ＬＡＮへの接続端子、１１０…制御部、２…ＬＡＮ、３…ＩＰ電話端末、４…ドック装置、４０１…ＬＡＮ接続端子、４０２…ＬＡＮＩ／Ｆ、４１１…外部端子、４１２…外部Ｉ／Ｆ、４１３…充電電流供給部、４１４…ＡＣコンセント、４２１…接続端末登録メモリ、４２２…端末登録離脱処理部、４２３…内線情報提供処理部、４２４…送受信信号処理部、４２５…ＩＤ管理メモリ、４３０…制御部、５…携帯電話端末、５０１…送受信アンテナ、５０２…電話通信部、５０３…送受信信号処理部、５０４…通話音声処理部、５０５…受話アンプ、５０６…受話器、５０７…送話器、５０８…送話アンプ、５１０…ＳＩＭカード情報メモリ、５１１…メッセージ処理部、５１２…内線情報管理部、５１３…通話音声変換部、５２１…操作入力部、５２２…操作入力Ｉ／Ｆ、５２３…ディスプレイコントローラ、５２４…ディスプレイ、５２５…リンガ、５３１…外部端子、５３２…外部Ｉ／Ｆ、５３３…充電回路、５３４…バッテリ、５４０…制御部、６…ＩＰ網、７…電話網、９…管理サーバ、９００…システムバス、９０１…ＣＰＵ、９０２…ＲＯＭ、９０３…ＲＡＭ、９０５…ＬＡＮ用Ｉ／Ｆ、９０６…ＬＡＮ用接続端子、９０７…ＬＡＮ用送受信部、９０８１〜９０８ｎ…カードＩ／Ｆ、９０９…カード管理テーブルメモリ、９１０…端末管理テーブルメモリ、９１１…表示情報生成部
【図１】
0005720889.tif 000002
【図２】
0005720889.tif 000003
【図３】
0005720889.tif 000004
【図４】
0005720889.tif 000005
【図５】
0005720889.tif 000006
【図６】
0005720889.tif 000007
【図７】
0005720889.tif 000008
【図８】
0005720889.tif 000009
【図９】
0005720889.tif 000010
【図１０】
0005720889.tif 000011
【図１１】
0005720889.tif 000012
【図１２】
0005720889.tif 000013
【図１３】
0005720889.tif 000014
【図１４】
0005720889.tif 000015
【図１５】
0005720889.tif 000016
【図１６】
0005720889.tif 000017
【図１７】
0005720889.tif 000018
【図１８】
0005720889.tif 000019
【図１９】
0005720889.tif 000020
【図２０】
0005720889.tif 000021
【図２１】
0005720889.tif 000022
【図２２】
0005720889.tif 000023
【図２３】
0005720889.tif 000024